(57)【要約】【課題】ユーザが撮像された画像中における各画像領域とメモリカードとの位置関係を誤認することを防止する構成を備えた撮像装置を提供する。【解決手段】本発明の一態様に係る撮像装置１は、画像を撮像する撮像素子１２と、撮像素子が撮像した画像を複数の領域の画像に分割する分割手段と、複数の領域の画像について、各領域の画像のそれぞれを符号化する複数のプロセッサ（２１、３１、４１、５１）と、複数のプロセッサがそれぞれ符号化した前記各領域の画像のそれぞれを記録する複数の記録媒体のそれぞれを装着する複数の記録媒体装着部（２３、３３、４３、５３）と、を備え、前記複数の領域の画像の位置関係と前記複数の記録媒体装着部の位置関係がそれぞれ対応していることを特徴とする。【選択図】図１
2013141073.tif 000002
【特許請求の範囲】
【請求項１】
画像を撮像する画像撮像手段と、
前記画像撮像手段が撮像した画像を複数の領域の画像に分割する分割手段と、
前記複数の領域の画像について、各領域の画像のそれぞれを符号化する複数のプロセッサと、
前記複数のプロセッサがそれぞれ符号化した前記各領域の画像のそれぞれを記録する複数の記録媒体のそれぞれを装着する複数の記録媒体装着部と、
を備え、
前記複数の領域の画像の位置関係と前記複数の記録媒体装着部の位置関係がそれぞれ対応していることを特徴とする撮像装置。
【請求項２】
前記分割手段は、前記画像撮像手段が撮像した画像を第１〜第４の領域の画像に分割し、
前記複数のプロセッサは、前記第１の領域の画像を符号化する第１のプロセッサと、前記第２の領域の画像を符号化する第２のプロセッサと、前記第３の領域の画像を符号化する第３のプロセッサと、前記第４の領域の画像を符号化する第４のプロセッサと、からなり、
前記複数の記録媒体装着部は、前記第１のプロセッサで符号化された前記第１の領域の画像を記録する第１の記録媒体を装着する第１の記録媒体装着部と、前記第２のプロセッサで符号化された前記第２の領域の画像を記録する第２の記録媒体を装着する第２の記録媒体装着部と、前記第３のプロセッサで符号化された前記第３の領域の画像を記録する第３の記録媒体を装着する第３の記録媒体装着部と、前記第４のプロセッサで符号化された前記第４の領域の画像を記録する第４の記録媒体を装着する第４の記録媒体装着部と、からなり、
前記第１〜第４の領域の画像の位置関係と前記第１〜第４の記録媒体装着部の位置関係がそれぞれ対応していることを特徴とする請求項１に記載の撮像装置。
【請求項３】
前記第１の領域の画像は、前記画像撮像手段が撮像した画像の左上の領域の画像であり、
前記第２の領域の画像は、前記画像撮像手段が撮像した画像の右上の領域の画像であり、
前記第３の領域の画像は、前記画像撮像手段が撮像した画像の左下の領域の画像であり、
前記第４の領域の画像は、前記画像撮像手段が撮像した画像の右下の領域の画像であり、
前記第２の記録媒体装着部は、前記第１の記録媒体装着部の右側に配置され、
前記第３の記録媒体装着部は、前記第１の記録媒体装着部の下側に配置され、
前記第４の記録媒体装着部は、前記第１の記録媒体装着部の右下側に配置されることを特徴とする請求項２に記載の撮像装置。
【請求項４】
前記画像撮像手段で撮像された画像を表示する画像表示手段と、
前記第１の記録媒体装着部に記録媒体が装着されていることを示す第１のアイコンと、前記第２の記録媒体装着部に記録媒体が装着されていることを示す第２のアイコンと、前記第３の記録媒体装着部に記録媒体が装着されていることを示す第３のアイコンと、前記第４の記録媒体装着部に記録媒体が装着されていることを示す第４のアイコンとを前記画像表示手段に表示させるアイコン表示手段と、
をさらに備えることを特徴とする請求項２又は３に記載の撮像装置。
【請求項５】
前記第１〜第４の記録媒体装着部の位置関係と前記第１〜第４のアイコンの表示位置関係が対応していることを特徴とする請求項４に記載の撮像装置。
【請求項６】
前記アイコン表示手段は、前記第１〜第４の記録媒体装着部に前記第１〜第４の記録媒体がそれぞれ装着されているかを検出し、前記第１〜第４のアイコンのうち、前記記録媒体の装着が検出されている記録媒体装着部に対応するアイコンを表示することを特徴とする請求項４又は５に記載の撮像装置。
【請求項７】
前記アイコン表示手段は、前記第１〜第４の記録媒体装着部に前記第１〜第４の記録媒体がそれぞれ装着されているかを検出し、前記第１〜第４のアイコンのうち、前記記録媒体の装着が検出されていない記録媒体装着部に対応するアイコンを点滅して表示することを特徴とする請求項４〜６のいずれか１項に記載の撮像装置。
【請求項８】
前記第１の記録媒体は符号化された画像が記録された第１のディレクトリを含み、
前記第２の記録媒体は符号化された画像が記録された第２のディレクトリを含み、
前記第３の記録媒体は符号化された画像が記録された第３のディレクトリを含み、
前記第４の記録媒体は符号化された画像が記録された第４のディレクトリを含み、
前記第１〜第４の記録媒体の前記第１〜第４のディレクトリのディレクトリ名が所定の条件を満たすか否かを確認するディレクトリ名確認手段をさらに備え、
前記アイコン表示手段は、前記第１〜第４のアイコンのうち、前記所定の条件を満たさないディレクトリ名のディレクトリを含む前記記録媒体が装着されている記録媒体装着部に対応するアイコンを点滅して表示することを特徴とする請求項４〜７のいずれか１項に記載の撮像装置。
【発明の詳細な説明】
【技術分野】
【０００１】
本発明は撮像装置に関し、特に詳しくは、１画面を複数に分割して記録する撮像装置に関する。
【背景技術】
【０００２】
デジタルビデオカメラを初めとする撮像装置は、被写体を動画として撮影し、H.264などの符号化方式で符号化を行った上で符号化後の動画像を記憶媒体に格納する。ここで、既存のデジタルビデオカメラで撮影される画像の解像度としては、７２０×４８０画素の標準解像度（SD：Standard Definition）や、１９２０×１０８０画素の高解像度（ＨＤ：High Definition）が一般的である。
【０００３】
近年、より高精細な画像を撮影することに対する需要が高まりつつあり、高解像度方式をさらに３８４０×２１６０画素に拡張した所謂４Ｋ２Ｋの画像フォーマットでの撮影を可能とする装置の開発が進められている。
【０００４】
しかしながら、このような大容量の画像を単一のＬＳＩを用いて符号化処理するためには、非常に高いＬＳＩの性能が要求される。そこで、撮像された画像を複数の小さな領域に分割し、分割した各画像を個別のＬＳＩで処理する方式が検討されている（特許文献１）。
【０００５】
特許文献１に記載の符号化装置では、４Ｋ２Ｋサイズの超高精細画像を分割して符号化する際に、画像の分割境界で生じる符号化画像の品質低下を抑えるために、分割領域反転手段を別途設けることを特徴としている。当該構成とすることで、分割境界の連続性を損なうことなく画面内予測符号化を行うことを可能としている。
【０００６】
また、特許文献２には、複数の符号化部で画像符号化を行い、符号化データを複数の記録媒体に記録する撮像装置が開示されている。ここで、当該撮像装置は、各符号化部でそれぞれ符号化された符号化データの符号量を計算する符号量計算部と、各記憶媒体にそれぞれ記憶された符号化データの符号量を計算する記録符号量計算部とを備える。そして、各符号化部と各記録媒体の間に設けられた選択部が、これらの符号量に基づいて複数の符号化部で符号化された符号化データの記録先を選択する構成とすることで、各記録媒体への記録符号量の均一化を可能としている。
【０００７】
また、特許文献３には、複数の記録媒体に記録された映像データの編集負荷を軽減する事を目的とするデータ処理装置が開示されている。当該データ処理装置は、複数の記録媒体に分割して記録された分割映像データであるかを判定する判定手段と、分割映像データである場合に、別の記録媒体に分割して記録された一部の分割映像データを検索する検索手段とを備える。当該検索によって、複数の記録媒体に記録された分割映像データを表す画像情報の一覧を提示する構成とすることで、複数の記録媒体に分割して記録される映像データの編集負荷を軽減することができる。
【先行技術文献】
【特許文献】
【０００８】
【特許文献１】特開２０１０−９８６３３号公報
【特許文献２】特開２０１１−３５８６３号公報
【特許文献３】特開２０１１−２０５２６２号公報
【発明の概要】
【発明が解決しようとする課題】
【０００９】
撮像素子で撮像された画像が複数の画像領域に分割され、分割された各画像領域がそれぞれ１つのプロセッサで符号化され、複数のメモリカードに分散して記録される場合、どの画像領域がどのメモリカードに記録されているかをユーザが認識しづらいという課題が存在する。
【００１０】
４Ｋ２Ｋのような大容量画像データをデジタルビデオカメラで撮影する場合、ユーザは装置本体から都度、上記複数のメモリカードを取り外し、別途設けられた情報処理装置にそれらのメモリカードを装着し、その情報処理装置を使用して撮像画像の編集を頻繁に行うことが想定され得る。
【００１１】
ここで、どのメモリカードにどの領域の画像が格納されたかを認識できないことは、画像編集処理に不便をきたすという問題や、再度装置本体にメモリカードを装着する場合に撮像時に装着したメモリカードスロットとは異なる、間違ったメモリカードスロットに装着してしまうという問題に繋がる。
【００１２】
本願発明は、上記課題を鑑み、撮像素子で撮像された画像を複数の画像領域に分割し、分割した各領域の画像を複数のメモリカードにそれぞれ分散して記録する場合に、ユーザが撮像された画像中における各画像領域とメモリカードとの位置関係を誤認することを防止する構成を備えた撮像装置を提供することを目的とする。
【課題を解決するための手段】
【００１３】
本願発明の一態様にかかる撮像装置（１）は、画像を撮像する画像撮像手段（撮像素子１２）と、前記画像撮像手段が撮像した画像を複数の領域の画像に分割する分割手段と、前記複数の領域の画像について、各領域の画像のそれぞれを符号化する複数のプロセッサ（メインプロセッサ２１、３１、４１、５１）と、前記複数のプロセッサがそれぞれ符号化した前記各領域の画像のそれぞれを記録する複数の記録媒体のそれぞれを装着する複数の記録媒体装着部（メモリカードスロット２３、３３、４３、５３）と、を備え、前記複数の領域の画像の位置関係と前記複数の記録媒体装着部の位置関係がそれぞれ対応していることを特徴とする。
上記撮像装置において、前記分割手段は、前記画像撮像手段が撮像した画像を第１〜第４の領域の画像に分割し、前記複数のプロセッサは、前記第１の領域の画像を符号化する第１のプロセッサと、前記第２の領域の画像を符号化する第２のプロセッサと、前記第３の領域の画像を符号化する第３のプロセッサと、前記第４の領域の画像を符号化する第４のプロセッサと、からなり、前記複数の記録媒体装着部は、前記第１のプロセッサで符号化された前記第１の領域の画像を記録する第１の記録媒体を装着する第１の記録媒体装着部と、前記第２のプロセッサで符号化された前記第２の領域の画像を記録する第２の記録媒体を装着する第２の記録媒体装着部と、前記第３のプロセッサで符号化された前記第３の領域の画像を記録する第３の記録媒体を装着する第３の記録媒体装着部と、前記第４のプロセッサで符号化された前記第４の領域の画像を記録する第４の記録媒体を装着する第４の記録媒体装着部と、からなり、前記第１〜第４の領域の画像の位置関係と前記第１〜第４の記録媒体装着部の位置関係がそれぞれ対応する構成とすることができる。
上記撮像装置において、前記第１の領域の画像は、前記画像撮像手段が撮像した画像の左上の領域の画像であり、前記第２の領域の画像は、前記画像撮像手段が撮像した画像の右上の領域の画像であり、前記第３の領域の画像は、前記画像撮像手段が撮像した画像の左下の領域の画像であり、前記第４の領域の画像は、前記画像撮像手段が撮像した画像の右下の領域の画像であり、前記第２の記録媒体装着部は、前記第１の記録媒体装着部の右側に配置され、前記第３の記録媒体装着部は、前記第１の記録媒体装着部の下側に配置され、前記第４の記録媒体装着部は、前記第１の記録媒体装着部の右下側に配置される構成とすることができる。
上記撮像装置において、前記画像撮像手段で撮像された画像を表示する画像表示手段と、前記第１の記録媒体装着部に記録媒体が装着されていることを示す第１のアイコンと、前記第２の記録媒体装着部に記録媒体が装着されていることを示す第２のアイコンと、前記第３の記録媒体装着部に記録媒体が装着されていることを示す第３のアイコンと、前記第４の記録媒体装着部に記録媒体が装着されていることを示す第４のアイコンとを前記画像表示手段に表示させるアイコン表示手段と、をさらに備える構成とすることができる。
上記撮像装置において、前記第１〜第４の記録媒体装着部の位置関係と前記第１〜第４のアイコンの表示位置関係が対応する構成とすることができる。
上記撮像装置において、前記アイコン表示手段は、前記第１〜第４の記録媒体装着部に前記第１〜第４の記録媒体がそれぞれ装着されているかを検出し、前記第１〜第４のアイコンのうち、前記記録媒体の装着が検出されている記録媒体装着部に対応するアイコンを表示する構成とすることができる。
上記撮像装置において、前記アイコン表示手段は、前記第１〜第４の記録媒体装着部に前記第１〜第４の記録媒体がそれぞれ装着されているかを検出し、前記第１〜第４のアイコンのうち、前記記録媒体の装着が検出されていない記録媒体装着部に対応するアイコンを点滅して表示する構成とすることができる。
また、前記第１の記録媒体は符号化された画像が記録された第１のディレクトリを含み、前記第２の記録媒体は符号化された画像が記録された第２のディレクトリを含み、前記第３の記録媒体は符号化された画像が記録された第３のディレクトリを含み、前記第４の記録媒体は符号化された画像が記録された第４のディレクトリを含み、上記撮像装置は、前記第１〜第４の記録媒体の前記第１〜第４のディレクトリのディレクトリ名が所定の条件を満たすか否かを確認するディレクトリ名確認手段をさらに備え、前記アイコン表示手段は、前記第１〜第４のアイコンのうち、前記所定の条件を満たさないディレクトリ名のディレクトリを含む前記記録媒体が装着されている記録媒体装着部に対応するアイコンを点滅して表示する構成としてもよい。
【発明の効果】
【００１４】
本願発明によれば、撮像素子で撮像された画像を複数の画像領域に分割し、分割した各領域の画像を複数のメモリカードにそれぞれ分散して記録する場合に、ユーザが撮像された画像中における各画像領域とメモリカードとの位置関係を誤認することを防止する構成を備えた撮像装置を提供することができる。
【図面の簡単な説明】
【００１５】
【図１】実施の形態にかかる撮像装置の構成を模式的に示す側面図である。
【図２】実施の形態にかかる撮像装置の構成を示す側面図である。
【図３】撮像装置の表示画面を示す図である。
【図４】撮像装置の制御系の構成を示すブロック図である。
【図５】撮像装置の制御系を機能的に示すブロック図である。
【図６】第１メインプロセッサの制御部の構成を機能的に示すブロック図である。
【図７】フォーマットされたメモリカードのディレクトリを説明するための図である。
【図８】符号化ファイルが記憶されたディレクトリを説明するための図である。
【図９】通常モードで録画した時の符号化ファイルを説明するための図である。
【図１０】第１カードスロットに別のメモリカードを装着した状態を説明するための図である。
【図１１】第４カードスロットに別のメモリカードを装着した状態を説明するための図である。
【図１２】第１メモリカードに、ＨＤ画像を録画した状態を説明するための図である。
【図１３】複数のメモリカードを用いるときに作成されるディレクトリの連番番号を説明するための図である。
【図１４】メモリカードに含まれるファイル数が一致しない状態を説明するための図である。
【図１５】メモリカードに含まれる符号化ファイルが整合しない状態を説明するための図である。
【図１６】符号化ファイルの削除を説明するための図である
【図１７】アラート表示の一例を説明するための図である。
【図１８】アラート表示の他の例を説明するための図である。
【図１９】メモリカードが整合していない状態のアイコン表示を示す図である。
【図２０】再生処理の制御フローを示すフローチャートである。
【図２１】記録処理の制御フローを示すフローチャートである。
【図２２】メモリカードのアイコン表示を切り替えるための構成を示すブロック図である。
【図２３】ＭＰ４ファイルのデータ構造を模式的に示す図である。
【図２４】位置情報を模式的に示す表である。
【図２５】ｆｒｅｅ  ａｔｏｍのデータ構造を模式的に示す表である。
【図２６】横方向位置、及び縦方向位置の設定を説明するための図である。
【図２７】非重複モードで記録した時の、位置情報を説明するための図である。
【図２８】隣接する領域を１６ピクセルオーバラップした時の位置情報を説明するための図である。
【図２９】通常モードで記録した時の位置情報を説明するための図である。
【図３０】全体画像を横方向に４分割した時の位置情報を説明するため図である。
【図３１】全体画像を１６分割した時の位置情報を説明するための図である。
【図３２】サムネイル画像の作成処理を示すフローチャートである。
【図３３】サムネイル画像の作成処理を示すフローチャートである。
【発明を実施するための形態】
【００１６】
（全体構成）
以下、図面を参照して本発明の実施の形態について説明する。図１は、本実施の形態にかかる撮像装置の構成を模式的に示す側面図である。図１は、撮像装置１の左側面を示す図である。撮像装置１は、動画像（なお、以下の説明において、特に言及がない場合は、画像は動画像を指すものとする。）を撮像する撮像素子を有している。さらに、撮像装置１は、撮像素子で撮像された画像を分割した分割画像を符号化（エンコード）する。すなわち、分割画像は、１フレームの画像を空間的に分割した画像となる。撮像装置１は、符号化した分割画像を、ＳＤメモリカードなどの記録媒体に、記録する。また、撮像装置１は、４Ｋ２Ｋの解像度を有する高精細画像（以下、４ｋ画像）を撮像している。さらに、ＨＤの解像度の画像（以下、ＨＤ画像）についても録画可能である。すなわち、４Ｋ２Ｋの解像度の高解像度モードとＨＤの解像度の通常モードとを切り替えて、録画できるようになっている。
【００１７】
図１に示すように、撮像装置１には、本体部２と、レンズ部１１と、モニタ部６４と、ビューファインダ６６とが設けられている。本体部２は、ＣＭＯＳセンサやＣＣＤセンサ等の撮像素子（画像撮像手段）や、各種制御を行うための制御系、各機器に電源を供給するためのバッテリ、並びに、これらを収納する筺体等を有している。本体部２の前面側には、被写体からの光を撮像素子に導くレンズ部１１が設けられている。本体部２の後端側には、撮像素子で撮像された画像を視認するためのビューファインダ６６が設けられている。
【００１８】
本体部２の側面には、ヒンジ６４ａを介して、モニタ部６４が開閉可能に取り付けられている。モニタ部６４は、液晶表示パネルや有機ＥＬ表示パネルなどの表示装置を有している。モニタ部６４の表示画面には、撮像装置１で撮像した画像、又は再生中の画像が表示される。さらに、モニタ部６４の表示画面には、撮像装置が録画した画像や再生中の画像の情報が表示される。あるいは、モニタ部６４は、画像の再生時間、録画時間、バッテリの残量などを表示する。さらに、モニタ部６４は、再生する画像を選択できるように、記録したシーンのリストを表示する。モニタ部６４を開くと、モニタ部６４の表示画面が後方側を向き、ユーザが視認可能な状態となる。本体部２の側面には、ボタンやレバー等を有する入力部１５が設けられている。具体的には、入力部１５には、録画ボタン、再生ボタン、解像度切替ボタン等を有している。ユーザが入力部１５を操作することで、録画、再生、各種設定等を行うことができる。もちろん、モニタ部６４をタッチパネルとして、モニタ部６４を入力部１５としてもよい。
【００１９】
本体部２の側面には、４つのカードスロット２３、３３、４３、５３が設けられている。ここでは、４つのカードスロット２３、３３、４３、５３がモニタ部６４の下側に配置されている。カードスロット２３、３３、４３、５３のそれぞれには、例えばＳＤメモリカード等のメモリカードが脱着される。従って、撮像装置１は、同時に４つのメモリカードを装着することができるようになっている。具体的には、カードスロット２３、３３、４３、５３のそれぞれにメモリカードを紙面と垂直な方向に挿入することで、メモリカードが装着される。これにより、撮像装置１で撮像した画像を、脱着可能なメモリカードに録画可能になる。
【００２０】
もちろん、メモリカードは、ＳＤメモリカードに限定されるものではなく、メモリスティックやコンパクトフラッシュ（登録商標）カード等の他の記録媒体を用いることができる。４つのメモリカードは同じタイプの記録媒体とする。なお、以下の説明において、４つのカードスロット２３、３３、４３、５３を識別するため、適宜、第１カードスロット２３、第２カードスロット３３、第３カードスロット４３、第４カードスロット５３と称することもある。
【００２１】
なお、同時に用いる４つのメモリカードの容量は揃えなくてもよい。
【００２２】
さらに、カードスロット２３、３３、４３、５３、及び入力部１５の下側には、４つのＨＤＭＩ端子６７が設けられている。ＨＤＭＩ端子６７は、パソコンモニタやＴＶ等の外部表示機器との接続に用いられる。すなわち、ＨＤＭＩ端子６７にＨＤＭＩケーブルを接続することで、外部表示機器と撮像装置１との間で、データ転送を行うことができる。ＨＤＭＩ端子６７は、１９２０×１０８０のフルＨＤに対応している。
【００２３】
（スロット配置）
図２、及び図３を参照して、カードスロット２３、３３、４３、５３の配置について説明する。図２は、カードスロット２３、３３、４３、５３の配置を示す側面図であり、メモリカードの挿入方向に沿って見た図である。図３は、モニタ部６４に表示された画像を模式的に示す図である。
【００２４】
図２に示すように、４つのカードスロット２３、３３、４３、５３が２×２のマトリクス状に配列されている。具体的には、第１カードスロット２３が左上、第２カードスロット３３が右上、第３カードスロット４３が左下、第４カードスロット５３が右下に配置されている。換言すると、第１カードスロット２３は第２カードスロット３３の左側であって、第３カードスロット４３の上側に配置されている。第２カードスロット３３は、第１カードスロット２３の右側であって、第４カードスロット５３の上側に配置されている。第３カードスロット４３は、第１カードスロット２３の下側であって、第４カードスロット５３の左側に配置されている。第４カードスロット５３は、第２カードスロット３３の下側であって、第３カードスロット４３の右側に配置されている。なお、各メモリカードの厚さ方向が上下方向と一致している。
【００２５】
撮像装置１は、撮像素子で撮像された画像（以下、全体画像とも称する）を４分割して、符号化する。そして、撮像装置１は、４分割された分割画像を符号化した符号化ファイルを、カードスロット２３、３３、４３、５３に装着された４つのメモリカードに記録する。例えば、図３に示すように、全体画像９０が第１の領域９１、第２の領域９２、第３の領域９３、及び第４の領域９４に分割されて、符号化されている。第１の領域９１を符号化した第１の符号化ファイルが第１カードスロット２３に装着されたメモリカードに記録される。同様に、第２の領域９２を符号化した第２の符号化ファイルが第２カードスロット３３に装着されたメモリカードに記録され、第３の領域９３を符号化した第３の符号化ファイルが第３カードスロット４３に装着されたメモリカードに記録され、第４の領域９４を符号化した第４の符号化ファイルが第４カードスロット５３に装着されたメモリカードに記録される。
【００２６】
各領域の画像データを符号化した符号化ファイルは、例えばＭＰ４形式で符号化されている。なお、全体画像９０の解像度が３８４０×２１６０画素（４Ｋ２Ｋ）であるとすると、各領域の解像度は、１９２０×１０８０画素（ＨＤ：High Definition）となっている。もちろん、各領域の解像度は、同じサイズとなっている。４ｋ画像を録画する場合、４ｋ画像を空間的に分割して、４つのメモリカードに記録する。こうすることで、１つのメモリカードに記録できる符号化ファイルの最長録画時間を長くすることができる。さらに、同じ録画時間の符号化ファイルのサイズを１／４にすることができるため、データ転送を容易に行うことができる。符号化形式は、ＭＯＶ形式やＡＶＩ形式などでもよく、ＭＰ４形式に限定されるものではない。
【００２７】
カードスロット２３、３３、４３、５３の位置関係を、第１の領域９１〜第４の領域９４の位置関係を一致させる。例えば、全体画像９０中において左上の第１の領域９１の符号化ファイルは、左上の第１カードスロット２３に装着されたメモリカードに記録される。全体画像９０中における右上の第２の領域９２の符号化ファイルは、右上の第２カードスロット３３に装着されたメモリカードに記録される。同様に、全体画像９０中において左下の第３の領域９３の符号化ファイルは、左下の第３カードスロット４３に装着されたメモリカードに記録され、右下の第４の領域９４の符号化ファイルは、右下の第４カードスロット５３に装着されたメモリカードに記録される。このように、表示画面上における各領域９１〜９４の位置関係と、カードスロット２３、３３、４３、５３とを対応させるように配置する。こうすることで、どのメモリカードにどの領域のデータが格納されているかを容易に認識することができる。
【００２８】
さらに、表示画面には、カードスロット２３、３３、４３、５３に対するメモリカードの装着状態を示すカードアイコン表示部９５が表示されている。カードアイコン表示部９５が表示画面の右上、すなわち、第２の領域９２に対応する箇所に設けられている。カードスロット２３、３３、４３、５３に、それぞれ、メモリカードが装着されている場合、４つのアイコンＡ〜Ｄが全て表示される。なお、第１カードスロット２３とアイコンＡとが対応しており、第２カードスロット３３とアイコンＢとが対応しており、第３カードスロット４３とアイコンＣとが対応しており、第４カードスロット５３とアイコンＤとが対応している。このように、カードアイコン表示部９５には、第１〜第４カードスロットに対応して、４つのアイコンＡ〜Ｄが表示される。また、撮像装置１が第１〜第４カードスロットにそれぞれメモリカードが装着しているか否かを検出し、メモリカードが装着されていない場合、そのカードスロットに対応するアイコンを点滅するか、あるいは表示しないようにしてもよい。さらには、装着したメモリカードが適切にフォーマットされてない場合、メモリカードのカードクラスが対応していない場合、点滅させてもよい。
【００２９】
（制御系）
上記のように、撮像装置１は、全体画面を分割して、符号化している。そして、撮像装置１は、分割画像毎に符号化ファイルを生成して、それぞれ異なるメモリカードに記録している。以下に、分割画像毎に符号化ファイルを生成して、それぞれ異なるメモリカードに記録するための制御系について説明する。図４は、撮像装置１の制御系を模式的に示すブロック図である。
【００３０】
撮像装置１は、撮像素子１２と、オーディオＩＣ１３と、音声入出力部１４と、メインプロセッサ２１、３１、４１、５１と、メモリ２２、３２、４２、５２と、カードスロット２３、３３、４３、５３と、サブプロセッサ６１と、メモリ６２と、表示ドライバ６３と、モニタ部６４と、表示ドライバ６５と、ビューファインダ６６とを備えている。図４に示すように、これらの構成は、バスラインで接続されている。なお、以下の説明において、メインプロセッサ２１、３１、４１、５１を識別するために、適宜、第１メインプロセッサ２１、第２メインプロセッサ３１、第３メインプロセッサ４１、第４メインプロセッサ５１と称する。同様に、メモリ２２、３２、４２、５２を識別するために、適宜、第１メモリ２２、第２メモリ３２、第３メモリ４２、第４メモリ５２と称する。
【００３１】
撮像素子１２は、被写体からレンズ部１１を通過した光を受光して、被写体を撮像する。撮像素子１２は、例えば、４Ｋ２Ｋの解像度で動画撮影可能なＣＭＯＳセンサである。撮像素子１２で撮像された４ｋ画像のデータは、メインプロセッサ２１、３１、４１、５１に出力される。音声入出力部１４には、内部マイク、スピーカ、外部マイク端子、ＸＬＲ端子、及びヘッドフォン端子等が設けられており、音声データを入出力する。動画撮像時には、内部マイク又は外部マイクで集音された音声のデータがオーディオＩＣ１３に出力される。オーディオＩＣ１３は、音声データをＡ／Ｄ変換して、メインプロセッサ２１、３１、４１、５１に出力する。この音声は、後述する画像データと共に符号化される。動画再生時には、メインプロセッサ２１、３１、４１、５１で再生された音声のデータが、オーディオＩＣ１３に出力される。オーディオＩＣ１３は、音声データをＤ／Ａ変換して、スピーカ、又はヘッドフォンに出力する。
【００３２】
メインプロセッサ２１、３１、４１、５１は、撮像された画像を分割した分割領域の画像データを符号化する。具体的には、第１メインプロセッサ２１は、第１の領域９１の画像データを符号化し、第２メインプロセッサ３１は、第２の領域９２の画像データを符号化し、第３メインプロセッサ４１は、第３の領域９３の画像データを符号化し、第４メインプロセッサ５１は、第４の領域９４の画像データを符号化する。
【００３３】
撮像装置１のカードスロット２３、３３、４３、５３には、メモリカード２４、３４、４４、５４が装着される。ここで、４つのメモリカード２４、３４、４４、５４を識別するために、適宜、第１メモリカード２４、第２メモリカード３４、第３メモリカード４４、第４メモリカード５４と称する。第１カードスロット２３には、第１メモリカード２４が装着され、第２カードスロット３３には、第２メモリカード３４が装着され、第３カードスロット４３には、第３メモリカード４４が装着され、第４カードスロット５３には、第４メモリカード５４が装着される。そして、メインプロセッサ２１、３１、４１、５１は、符号化した符号化ファイルを対応するメモリカード２４、３４、４４、５４に書き込む。
【００３４】
メインプロセッサ２１、３１、４１、５１は、撮像素子１２が撮像した画像を４分割した分割画像を符号化する。撮像素子１２が４Ｋ２Ｋの解像度を有しているため、メモリカード２４、３４、４４、５４に記録された符号化ファイルは、ＨＤの解像度を有するＡＶストリームデータと管理情報等を含んでいる。メインプロセッサ２１、３１、４１、５１には、４ｋ画像が入力される。そして、メインプロセッサ２１、３１、４１、５１は、それぞれに割り当てられた領域の画像データを抽出して、符号化処理を行う。例えば、第１メインプロセッサ２１は、第１の領域９１に対応する画像データを取り出して、符号化する。従って、第１メインプロセッサ２１は、第２の領域、第３の領域、及び第４の領域に対応する画像データについては、符号化しない。同様に、第２メインプロセッサ３１は、第２の領域９２に対応する画像データを取り出して、符号化する。第３メインプロセッサ４１は、第３の領域９３に対応する画像データを取り出して、符号化する。第４メインプロセッサ５１は、第４の領域９４に対応する画像データを取り出して、符号化する。このように、全体画像９０を４分割した分割画像を、４つのメインプロセッサ２１、３１、４１、５１で並列に符号化することにより、高速に処理することができる。また、メインプロセッサ２１、３１、４１、５１として、ＨＤの解像度の画像データを符号化する汎用的なＩＣを用いることができる。さらに、４ｋ画像を分割して、４つの、メインプロセッサ２１、３１、４１、５１で符号化しているため、１つのメインプロセッサの符号化処理の負担を軽減することができる。
【００３５】
記録した画像の再生時には、第１メインプロセッサ２１、３１、４１、５１が画像データを復号して、サブプロセッサ６１に送信する。サブプロセッサ６１は、４つの画像データを結合する。これにより、第１〜第４の領域９１〜９４に分割されていた画像データが合成される。サブプロセッサ６１は、結合した画像を表示ドライバ６３、又は表示ドライバ６５に出力する。表示ドライバ６３は、サブプロセッサ６１からの画像データに基づいて、モニタ部６４を駆動するための表示駆動信号を出力する。モニタ部６４は、合成された４ｋ画像を表示駆動信号に基づいて表示する。同様に、表示ドライバ６３は、サブプロセッサ６１からの画像データに基づいて、ビューファインダ６６を駆動するための表示駆動信号を出力する。ビューファインダ６６は、合成された４ｋ画像を表示駆動信号に基づいて表示する。これにより、モニタ部６４、又はビューファインダ６６で４ｋ画像が再生される。なお、４ｋ画像をモニタ部６４、又はビューファインダ６６いずれで表示するかを、ユーザが選択できるようにしてもよい。なお、録画中の画像をライブビューとして再生する場合、第１メインプロセッサ２１、３１、４１、５１が符号化する前の画像データをサブプロセッサ６１に送信する。そして、上記と同様に、サブプロセッサ６１が４つの画像データを合成して、表示ドライバ６３、又は表示ドライバ６５に出力する。
【００３６】
メモリ２２、３２、４２、５２は、撮像装置１に内蔵されたバッファメモリであり、対応するメインプロセッサ２１、３１、４１、５１での処理に使用される。メモリ２２、３２、４２、５２はＤＤＲメモリ（Ｄｏｕｂｌｅ  Ｄａｔａ  Ｒａｔｅ）などのＤＲＡＭ（Ｄｙｎａｍｉｃ  Ｒａｎｄａｍ  Ａｃｃｅｓｓ  Ｍｅｍｏｒｙ）である。例えば、第１メインプロセッサ２１は、符号化処理等で必要なデータを第１メモリ２２に一時的に格納する。同様に、第２メインプロセッサ３１は、符号化処理等で必要なデータを第２メモリ３２に一時的に格納し、第３メインプロセッサ４１は、符号化処理等で必要なデータを第１メモリ２２に一時的に格納し、第４メインプロセッサ５１は符号化処理等で必要なデータを第１メモリ２２に一時的に格納する。また、メモリ６２は、撮像装置１に内蔵されたバッファメモリであり、サブプロセッサ６１での処理に使用される。例えば、サブプロセッサ６１は、復号化処理等で必要なデータをメモリ６２に一時的に格納する。
【００３７】
ＨＤＭＩ端子６７は、ＨＤＭＩケーブルを介して、ＴＶ等の外部表示装置１０２に設けられたＨＤＭＩ端子１０１と接続される。ここでは、４つのＨＤＭＩ端子６７が外部表示装置１０２に接続される。これにより、撮像装置１と外部表示装置１０２との間でのデータ転送が可能になる。ＨＤＭＩ端子は、メインプロセッサ２１、３１、４１、５１で符号化された符号化ファイルを外部表示装置１０２に転送する。例えば、第１のＨＤＭＩ端子６７からは第１メインプロセッサ２１で符号化された符号化ファイルが転送される。同様に、第２のＨＤＭＩ端子６７からは第２メインプロセッサ３１で符号化された符号化ファイルが転送され、第３のＨＤＭＩ端子６７からは第３メインプロセッサ４１で符号化された符号化ファイルが転送され、第４のＨＤＭＩ端子６７からは第４メインプロセッサ５１で符号化された符号化ファイルが転送される。外部表示装置１０２でも、同世に符号化ファイルを復号し、結合する。これにより、外部表示装置１０２で４ｋ画像を表示することができる。
【００３８】
また、第１メインプロセッサ２１には、カメラ制御部カメラ制御部２７と、システム制御部２８が設けられている。カメラ制御部２７カメラ制御部２７は、ズームやアイリスに関する前処理を行う。システム制御部２８は、ファイル管理やサムネイル画像の生成などの処理を行う。また、システム制御部２８は、Ｈ．２６４エンコーダを備えており、画像データをエンコードする。なお、これらの処理については後述する。第２メインプロセッサ３１、第３メインプロセッサ４１、第４メインプロセッサ５１についても同様のカメラ制御部２７、及びシステム制御部２８が設けられているが、省略している。
【００３９】
（記録処理）
まず、上記のメインプロセッサ２１、３１、４１、５１における制御機能について、図５、及び図６を用いて説明する。図５は、メインプロセッサ２１、３１、４１、５１の制御構成を模式的に示す機能ブロック図である。なお、上記の説明と重複する構成については、適宜省略する。
【００４０】
図５に示すように、第１メインプロセッサ２１は、制御部２１ａと、第１符号化部２１ｂと、第１画像格納部２１ｃと、第１画像読み込み部２１ｄを備えている。第２メインプロセッサ３１は、第２符号化部３１ｂ、第２画像格納部３１ｃ、第２画像読み込み部３１ｄを備えている。同様に、第３メインプロセッサ４１は、第３符号化部４１ｂ、第３画像格納部４１ｃ、第３画像読み込み部４１ｄを備え、第３符号化部５１ｂ、第４画像格納部５１ｃ、第４画像読み込み部５１ｄを備えている。
【００４１】
例えば、録画を行う場合、ユーザが入力部１５の録画開示ボタンを押す。すると、入力部１５は、ユーザからの録画指示操作を受けて、録画指示信号を第１メインプロセッサ２１に出力する。これにより、第１メインプロセッサ２１に設けられた制御部２１ａが、メインプロセッサ２１、３１、４１、５１の各部を制御する。例えば、制御部２１ａが、バスラインを介して、符号化処理、及び格納処理等の録画処理を行うための制御信号を、メインプロセッサ３１、４１、５１に出力する。撮像素子１２が撮像した４ｋ画像が、メインプロセッサ２１、３１、４１、５１に入力される。
【００４２】
撮像素子１２は、４ｋ画像のデータを第１符号化部２１ｂ、第２符号化部３１ｂ、第３符号化部４１ｂ、第４符号化部５１ｂに出力する。第１符号化部２１ｂは、４ｋ画像から第１の領域９１となる分割画像を抽出して、符号化する。同様に、第２符号化部３１ｂ、第３符号化部４１ｂ、第４符号化部５１ｂは、対応する分割画像を抽出して、符号化する。第１画像格納部２１ｃは、第１符号化部２１ｂが符号化した分割画像を第１メモリカード２４に格納する。同様に、第２画像格納部３１ｃ、第３画像格納部４１ｃ、及び第４画像格納部５１ｃは、それぞれ、第２符号化部３１ｂ、第３符号化部４１ｂ、第４符号化部５１ｂが符号化した分割画像を第２メモリカード３４、第３メモリカード４４、第４メモリカード５４に格納する。そして、ユーザが録画停止ボタンを押すと、入力部１５は、録画終了操作を受けて、録画停止信号を第１メインプロセッサ２１に出力する。第１メインプロセッサ２１の制御部２１ａは、全てのメインプロセッサ２１、３１、４１、５１に対して、録画終了処理を行わせる。これにより、第１メモリカード２４、３４、４４、５４に、録画開始から録画終了までの動画像を符号化した符号化ファイルが格納される。
【００４３】
（再生処理）
次に、符号化ファイルに含まれる画像を再生する場合について説明する。メモリカード２４、３４、４４、５４に記録した画像を再生する場合、ユーザが入力部１５の再生開始ボタンを押す。入力部１５は、ユーザからの再生指示操作を受けて、再生指示信号を第１メインプロセッサ２１に出力する。これにより、第１メインプロセッサ２１に設けられた制御部２１ａが、メインプロセッサ２１、３１、４１、５１の各部を制御する。例えば、制御部２１ａが、バスラインを介して、データの読み出し処理等の再生処理を行うための制御信号を、メインプロセッサ３１、４１、５１に出力する。
【００４４】
メインプロセッサ２１、３１、４１、５１は、それぞれメモリカード２４、３４、４４、５４に記録されている画像を読み出す。例えば、第１メインプロセッサ２１は、第１メモリカード２４に記録されている第１の領域９１に対応する符号化ファイルを読み出す。同様に、第２メインプロセッサ３１は、第２メモリカード３４に記録されている第２の領域９２に対応する符号化ファイルを読み出す。第３メインプロセッサ４１は、第３メモリカード４４に記録されている第３の領域９３に対応する符号化ファイルを読み出し、第４メインプロセッサ５１は、第４メモリカード５４に記録されている第４の領域９４に対応する符号化ファイルを読み出す。そして、メインプロセッサ２１、３１、４１、５１は、読み出した符号化ファイルを復号して、ＨＤ画像のデータをサブプロセッサ６１に出力する。サブプロセッサ６１は、４つのＨＤ画像を結合する。そして、サブプロセッサ６１は、結合した画像の画像データを表示ドライバ６３出力する。
【００４５】
上記のように、撮像装置１は、全体画面を分割して、符号化している。そして、撮像装置１は、分割画像毎に符号化ファイルを生成して、それぞれ異なるメモリカードに記録している。従って、全体画像を正しく再生する場合、各メモリカードから対応する符号化ファイルを読み込む必要がある。すなわち、複数の符号化ファイルを整合させて、記録、再生する必要がある。以下、符号化ファイルを管理する方法について説明する。以下の、複数の符号化ファイルを管理するための制御部２１ａの構成について、図４〜６を用いて説明する。図６は、第１メインプロセッサ２１の制御構成を模式的に示す機能ブロック図である。
【００４６】
さらに、以下の説明では、適宜、図７〜図１６を参照して、説明を行う。図７〜図１６は、各メモリカード２４、３４、４４、５４と、メモリカード２４、３４、４４、５４に作成されるディレクトリを模式的に示す図である。図６に示すように、制御部２１ａは、指示信号入力部７１、フォーマット実行部７２、メモリカード確認部７３、録画開始指示部７６、アラート画面表示指示部７７、画像読み込み指示部７８、ファイル名一致判定部８１、時間計測部８２、ファイル名受信部８３、画像読み込み停止指示部８４を備えている。メモリカード確認部７３は、ディレクトリ名確認部７４、ディレクトリ名確認部７４を備えている。
【００４７】
［フォーマット処理］
まず、メモリカード２４、３４、４４、５４をフォーマット処理について説明する。メモリカード２４、３４、４４、５４のフォーマットを行う場合、メモリカード２４、３４、４４、５４が装着された状態でユーザがフォーマットボタンを押す。入力部１５がユーザによるフォーマット操作を受けて、フォーマット指示信号を制御部２１ａに出力する。フォーマット指示信号は、指示信号入力部７１に入力される。指示信号入力部７１は、フォーマット指示信号をフォーマット実行部７２に出力する。フォーマット実行部７２は、第１メモリカード２４をフォーマットするとともに、フォーマット制御信号をメインプロセッサ３１、４１、５１に出力する。メインプロセッサ３１、４１、５１にフォーマット制御信号が入力されると、メインプロセッサ３１、４１、５１がそれぞれ、メモリカード３４、４４、５４をフォーマットする。そして、４ｋモードで記録する前に、メモリカード中のファイル数を０に揃える。
【００４８】
フォーマット指示信号がフォーマット実行部７２に入力されると、メインプロセッサ２１、３１、４１、５１は、メモリカード２４、３４、４４、５４をフォーマットするとともに、メモリカード２４、３４、４４、５４に符号化ファイルを記録するためのディレクトリを作成する。このとき、メモリカード２４、３４、４４、５４に作成するディレクトリ名を整合させる。例えば、図７に示すように、第１メモリカード２４の識別記号をＡ、第２メモリカード３４の識別記号をＢ、第３メモリカード４４の識別記号をＣ、第４メモリカード５４の識別記号をＤとする。この場合、フォーマット実行部７２は、第１メモリカード２４に９８Ａ＿００００というディレクトリ名のディレクトリを作成する。さらに、第２メインプロセッサ３１が第２メモリカード３４にディレクトリ"９８Ｂ＿００００"を作成するように、フォーマット実行部７２が第２メインプロセッサ３１にフォーマット制御信号を出力する。同様に、フォーマット実行部７２がフォーマット制御信号を第３メインプロセッサ４１、第４メインプロセッサ５１に出力して、第３メモリカード４４、及び第４メモリカード５４にそれぞれディレクトリ"９８Ｃ＿００００"、ディレクトリ"９８Ｄ＿００００"を作成させる。
【００４９】
このように、メモリカード２４、３４、４４、５４には、それぞれ、"９８Ａ＿００００"、"９８Ｂ＿００００"、"９８Ｃ＿００００"、"９８Ｄ＿００００"をディレクトリ名とするディレクトリが作成される。これらのディレクトリの階層は、メモリカード２４、３４、４４、５４で同じになっている。ここで、ディレクトリ名に含まれる「９８」は、撮像装置１のシリアル情報を示すものであり、具体的には製造シリアル番号の下二桁の数字である。異なる撮像装置１では、ディレクトリ名の上２文字が異なる数字となる。ディレクトリ名に含まれる「Ａ」〜「Ｄ」は、上記の通り、メモリカードの識別番号（識別子）である。従って、メモリカード２４、３４、４４、５４に作成するディレクトリ名には、自装置のシリアル番号と、メモリカードに割り当てられた各カード番号とが含まれている。
【００５０】
さらに、ディレクトリ名に含まれるアンダーバーの後の「００００」は、作成したディレクトリの識別子であり、作成順に応じた連番数字（連番番号）となっている。ディレクトリの連番数字は、他のメモリカードに引き継がれていく。例えば、別の４個のメモリカードをフォーマットする場合において、新たに作成するディレクトリの連番数字は「０００１」となる。フォーマットした回数に応じて、連番数字が増えていく。このようにフォーマットする毎に、ディレクトリ名の連番数字がインクリメントする。４つのメモリカード２４、３４、４４、５４のディレクトリ名を管理するため、４つのメモリカードが全て装着された状態でのみ、フォーマットを実行できるようにする。そして、同時にフォーマットされた４つのメモリカードが装着された状態で、撮像装置１は録画、再生を行うことができる。すなわち、ディレクトリ名に基づいて、同時にフォーマットされた４つのメモリカードであるか否かが判定される。
【００５１】
（ファイル管理）
フォーマット後、高解像度モードで録画を行うと、各ディレクトリに符号化ファイルが保存される。すなわち、録画指示信号が指示信号入力部７１に入力されると、メインプロセッサ２１、３１、４１、５１は上記のように、録画を行う。これにより、メインプロセッサ２１、３１、４１、５１はメモリカード２４、３４、４４、５４にＡＶストリームデータを含む符号化ファイルを書き込む。ここでは、図８に示すように、メモリカード２４、３４、４４、５４に格納される符号化ファイルを整合させるように、ファイル名を付している。
【００５２】
例えば、第１メインプロセッサ２１のディレクトリ"９８Ａ＿００００"に格納されるファイル名を"９８Ａ＿０００１.ｍｐ４"、"９８Ａ＿０００２.ｍｐ４"、"９８Ａ＿０００３.ｍｐ４"とする。ここで、ファイル名に含まれる「９８Ａ」は、上記と同様に、撮像装置１のシリアル番号と、第１メインプロセッサ２１の識別番号である。そして、ファイル名に含まれるアンダーバーの後の「０００１」〜「０００３」は、作成順に付される連番数字である。この連番数字は、コンテンツに含まれるシーン数（ファイル数）に応じて増加していく。従って、"９８Ａ＿０００１．ｍｐ４"の符号化ファイルを作成した後に、"９８Ａ＿０００２．ｍｐ４"の符号化ファイルが作成される。同様に、"９８Ａ＿０００２．ｍｐ４"の符号化ファイルが作成された後に、"９８Ａ＿０００３．ｍｐ４"が作製される。このように符号化ファイルを作成する毎に、ファイル名の連番数字がインクリメントする。また、ファイル名に含まれるカンマの後のｍｐ４は、符号化ファイルのファイル形式（拡張子）である。すなわち、撮像された画像がＭＰ４形式で符号化されている。
【００５３】
ディレクトリ"９８Ｂ＿００００"に格納されるファイル名についても、メモリカードの識別番号以外は同様となっている。すなわち、第２メモリカード３４のディレクトリ"９８Ｂ＿００００"には、"９８Ｂ＿０００１．ｍｐ４"、"９８Ｂ＿０００２．ｍｐ４"。"９８Ｂ＿０００３．ｍｐ４"に格納される。第３メモリカード４４、第４メモリカード５４のディレクトリ"９８Ｃ＿００００"、"９８Ｄ＿００００"についても同様であり、メモリカードの識別番号がＣ，Ｄとなったファイル名の符号化ファイが格納されている。そして、符号化ファイルの作成順に連番数字がインクリメントする。
【００５４】
符号化ファイルのファイル名において、撮像装置のシリアル番号、及びファイル名の連番数字が同じであり、メモリカードの識別記号が異なっている符号化ファイルは、同じシーンを記録した符号化ファイルである。一方、符号ファイル名において、撮像装置のシリアル番号、又はファイル名の連番数字が異なっている符号化ファイルは、異なるシーンを撮像した符号化ファイルである。このように、ファイル名に応じて、同時に記録されたシーンの符号化ファイルであるか否かが判定される。
【００５５】
４ｋ画像を再生する場合、上述したように、第１画像読み込み部２１ｄ、第２画像読み込み部３１ｄ、第３画像読み込み部４１ｄ、及び第４画像読み込み部５１ｄがそれぞれ"９８Ａ＿０００１．ｍｐ４"、"９８Ｂ＿０００１．ｍｐ４"、"９８Ｃ＿０００１．ｍｐ４"、及び"９８Ｄ＿０００１．ｍｐ４"を読み出す。そして、サブプロセッサ６１がそれらを結合して、再生する。
【００５６】
さらに、ユーザは、撮像装置１をＨＤの解像度で撮像を行う通常モードに切り替えることができる。例えば、通常モードでは、ＡＶＣＨＤフォーマットで符号化する。もちろん、ＭＰ４形式やＭＯＶ形式で符号化してもよい。このとき、ＡＶＣＨＤフォーマットで記録された符号化ファイルは、第１メモリカード２４に格納される。この時の、ファイル名の一例を図９に示す。通常モードの場合、符号化ファイルは、"９８０００．ｍｔｓ"、"９８００１．ｍｔｓ"のファイル名で、記録される。ここで、ファイル名に含まれる「９８」は、撮像装置１のシリアル番号であり、「０００」及び「００１」は、作成順に付される連番数字である。この連番数字は、コンテンツに含まれるシーン数に応じて増加していく。さらに、カンマの後のｍｔｓは、ファイル形式（拡張子）である。
【００５７】
もちろん、ＨＤ画像を記録するメモリカードは第１メインカード２４に限られるものではない。例えば、第２メモリカード３４、第３メモリカード４４、第４メモリカード５４のいずれに記録してもよい。さらには、２以上のメモリカードに、ＨＤ画像の符号化ファイルを記録してもよい。また、フォーマット時において、ＨＤ画像を格納するディレクトリを別途作成して、ＨＤ画像と４ｋ画像を異なるディレクトリに記録することが好ましい。さらに、動画だけではなく、第１メモリカード２４に静止画を記録するようにしてもよい。この場合、４ｋ画像、ＨＤ画像、静止画を異なるディレクトリに記録してもよい。４ｋ画像が記録されるディレクトリが作成されるディレクトリの階層の一例を示すと"ＰＲＩＶＡＴＥ／ＪＶＣ／ＪＭＡＶ"となり、ＨＤ画像が記録されるディレクトリの階層の一例を示すと、"ＰＲＩＶＡＴＥ／ＪＶＣ"となり、静止画が記録されるディレクトリの階層の一例を示すと、"ＰＲＩＶＡＴＥ／ＤＣＩＭ"となる。メインプロセッサ２１、３１、４１、５１は、それぞれ、フォーマット時にこれらのディレクトをメモリカード２４、３４、４４、５４に作成する。この場合、ＪＭＡＶのディレクトリの下層に、"９８Ａ＿００００"〜"９８Ｄ＿００００"のいずれか一つのディレクトリが作成される。
【００５８】
なお、静止画あるいはＨＤ画像を記録するメモリカードを第１メモリカード２４のみとする場合、第１メモリカード２４の残り容量が他のメモリカードよりも少なくなってしまう。よって、静止画あるいはＨＤ画像を記録するメモリカードを、４ｋ画像が記録されるメモリカードと異なるメモリカードにしてもよい。すなわち、静止画あるいはＨＤ画像を記録するメモリカードを別に用意してもよい。そして、静止画あるいはＨＤ画像を記録する場合、メモリカードを入れ替える。あるいは、４つのメモリカードの中で、残り容量が大きいメモリカードに静止画あるいはＨＤ画像を記録するようにしてもよい。
【００５９】
メモリカード２４、３４、４４、５４のディレクトリ名、及びファイル名で、管理を行うことができる。所定の条件を満たす場合に録画開始を指示し、所定の条件を満たさない場合は、録画できないようにしてもよい。具体的には、以下に示す場合は、メモリカード２４、３４、４４、５４に４ｋ画像を記録できないに制御する。
【００６０】
（ａ）カードスロットに整合した４つのメモリカードが装着されていない場合、例えば、異なる撮像装置１でフォーマットされたメモリカードや、同じ撮像装置１で異なるタイミングでフォーマットされたメモリカード
（ｂ）フォーマットされていないメモリカードが装着されている場合、すなわち、上記のディレクトリが作成されていないメモリカードが装着されている場合
（ｃ）整合した４つのメモリカードがそれぞれ対応するカードスロットに装着されていない場合、例えば、第１メインプロセッサ２１に対応するディレクトリ"９８Ａ＿００００"のメモリカード２４を、第２カードスロット３３に装着した場合
（ｄ）４つのメモリカードでシーン数が揃っていない場合。
（ｅ）１つ以上のメモリカードで、プロテクトスイッチがロック状態になっている場合
【００６１】
また、４つのカードスロット２３、３３、４３、５３に関係なく、以下の条件でも、記録できない制御する。
（ｆ）ファイル数、ファイル番号が、管理上の上限に到達している場合
【００６２】
なお、記録を制限する場合、モニタ部６４がアラート画面を表示するようにしてもよい。（ａ）のように、整合していないメモリカードを用いるとディレクトリ名に不一致が生じる。例えば、図１０に示すように、第１メモリカード２４に装着する第１メモリカード２４を別のカード（図１０ではＡ'として記載）にすると、ディレクトリ名が不一致となる。メモリカードが整合していない場合、録画、及び再生できないようにする。なお、ＨＤ画像、又は静止画は、第１メモリカード２４に録画可能である。また、ＨＤ画像、又は静止画を第１メモリカード２４に記録する場合、第２カードスロット３３、第３カードスロット４３又は第４カードスロット５３で利用されていたメモリカードを、第１カードスロット２３に装着してもよい。例えば、この場合、"９８Ｂ＿００００"のディレクトリが作成されたメモリカードを第１カードスロット２３に装着して、ＨＤ画像、又は静止画を記録する。なお、このように４つのメモリカードを入れ替えて、ＨＤ画像、又は静止画を記録できるようにする場合、フォーマット時において、４つのメモリカードに上述した階層でディレクトリを作成する。
【００６３】
また、第４メモリカード５４を紛失した場合、別のメモリカード（図１１ではＤ'として記載）を第４カードスロット５３に装着した場合、図１１に示すように、ディレクトリ名に不一致が生じる。この場合も、録画、再生ができないようにする。なお、ＨＤの画像、及び静止画は、第１メモリカード２４に録画可能である。引き続き、４ｋ画像を録画する場合は、新たなメモリカードを４つ用意する。そして、４つのメモリカードをフォーマットして、整合するディレクトリを作成する。この場合のディレクトリ名は、それぞれ"９８Ａ＿０００１"、"９８Ｂ＿０００１"、"９８Ｃ＿０００１"、"９８Ｄ＿０００１"となる。なお、カードの紛失を考慮して、４つのメモリカードをスペアとして用意しておくことが望ましい。もちろん、整合するメモリカードＤが発見された場合は、メモリカード５４を第４カードスロット５３に装着すればよい。
【００６４】
図１２は、第１のメモリカード２４にＨＤ画像を録画した状態を示している。
【００６５】
図１３に、ディレクトリ名の連番数字が"００００"の組み合わせのメモリカードがフルになって、ディレクトリ名の連番数字が"０００１"の組み合わせのメモリカードに入れ替えた場合を示す。例えば、ディレクトリの連番数字が"００００"のメモリカードにおいて、連番数字が"０００３"の符号化ファイルを記録した時に、残り容量がなくなっていたとする。この場合、"０００１"の組み合わせのメモリカードには、次の連番数字である"０００４"からファイル名に連番数字が付されていく。すなわち、メモリカードを変えた場合でも、ファイル名の連番数字は連続している。なお、ファイル目の連番数字は、ＥＥＰＲＯＭ等に記憶している。このため、電源を切った場合やメモリカードを入れ替えた場合でも、連番数字が連続して付されていく。
【００６６】
さらに、ディレクトリの連番数字が「００００」のメモリカードの残り容量がある状態で、メモリカードを入れ替えて、ディレクトリの連番数字が「０００１」のメモリカードをカードスロットに装着したとする。そして、ディレクトリの連番数字が「０００１」のメモリカードに、「０００６」までの連番数字の符号化ファイルが記録されたとする。この状態で、再度メモリカードを入れ替えて、ディレクトリの連番数字が「００００」のメモリカードを装着すると、次に記録される符号化ファイルの連番数字は「０００７」となる。なお、ファイル名の連番数字が上限値"９９９９"に到達した場合、フォーマットと管理番号のリセットのフォーマットが必要となる。もちろん、ディレクトリ名の連番数字が"００００"の組み合わせのメモリカードがフルになった後、ＰＣなどで一部の符号化ファイルを削除、移動することによって、空き容量を増やして、再度"００００"の組み合わせのメモリカードを利用する場合も、連番数字は同様にインクリメントする。すなわち、ファイル名の連番数字は、ディレクトリ名によらず、符号化ファイルの作成毎に、インクリメントする。
【００６７】
ディレクトリ名の連番数字が一致していない場合、記録、再生をできないようにする。例えば、メモリカード２４、３４、５４のディレクトリが、それぞれ"９８Ａ＿００００"、"９８Ｂ＿００００"、"９８Ｄ＿００００"であり、第３メモリカード４４のディレクトリ名が"９８Ｃ＿０１００"であったとする。この場合、４つのメモリカード２４、３４、４４、５４で、ディレクトリ名が整合していないため、記録、及び再生ができないようにする。
【００６８】
さらに、他の撮像装置１でフォーマットしたメモリカードが含まれる場合、記録、再生できないようにする。例えば、シリアル番号の下二桁が「５０」の撮像装置１でフォーマットしたメモリカード４４が、第３カードスロット４３に装着されているとする。そして、第１カードスロット２３、第２カードスロット３３、第４カードスロット５３に、シリアル番号の下二桁が「９８」の撮像装置１でフォーマットした第１メモリカード２４、第２メモリカード３４、第４メモリカード５４に装着されているとする。ディレクトリ名における撮像装置１のシリアル番号が一致していない場合、記録、及び再生ができないようにする。このように、４つのメモリカード２４、３４、４４、５４のディレクトリ名が整合しているか否かを判定して、記録、再生できるかを決定している。すなわち、記録、再生可能な条件を、ディレクトリ名に基づいて設定している。
【００６９】
なお、記録する撮像装置１のシリアル番号と、４つのメモリカード２４、３４、４４、５４のディレクトリ名に含まれるシリアル番号が一致していない場合でも、記録・再生可能とすることができる。シリアル番号の下二桁が「５０」の撮像装置１でフォーマットした４つのメモリカード２４、３４、４４、５４をシリアル番号の下二桁が「９８」の撮像装置１で使用できる。換言すれば、ディレクトリ名が整合するメモリカード２４、３４、４、５４は、どの撮像装置１でも使用可能となる
【００７０】
図１４は、ディレクトリに含まれるファイル数（シーン数）が一致しない場合を示している。なお、ここでのファイル数は、４ｋ画像を符号化した符号化ファイル（すなわち、ｍｐ４形式のファイル）の数であり、ＨＤ画像の符号化ファイルや静止画のファイル等のその他のファイルの数は含まれない。図１４に示すように第３メモリカード４４に含まれる符号化ファイルが他のメモリカードに含まれる符号化ファイルよりも多くなっている。例えば、ＰＣなどで第１メモリカード２４、第２メモリカード３４、第４メモリカード５４の符号化ファイルを削除すると、シーン数に過不足が生じる。このような場合、ファイル名の連番数字が一致しているところまで、再生できるようにする。第３メモリカード４４に記録された連番番号「０００４」の符号化ファイルを削除している。従って、連番数字が「０００１」と「０００３」のシーンを再生できるようにする。また、シーン数が一致していない場合、記録不可とする。
【００７１】
図１５は、ファイル数は一致しているが、ファイル名の連番数字が途中でずれている場合を説明するための図である。第１メモリカード２４、第２メモリカード３４、第４メモリカード５４では、連番数字が「０００１」、「０００３」、「０００４」の符号化ファイルが記録されており、第３メモリカード４４には、連番数字が「０００１」、「０００４」、「０００５」の符号化ファイルが記録されている。この場合、ファイル数は３個で一致しているが、連番数字が整合しなくなる。例えば、リストの上から２番目では、連番数字が「０００３」、「０００３」、「０００４」、「０００３」となり、４つが一致しなくなる。
【００７２】
このような場合、４ｋ画像を所定時間だけ、再生させて、連番数字にずれが生じていることをユーザに報知させる。例えば、５秒間だけ、４ｋ画像を再生させる。すると第３の領域９３のみ、異なるシーンとなるため、ユーザがファイル名にずれがあることを認識できるようになる。また、異なるシーンの符号化ファイルでは、再生時間（録画時間）が異なっている。よって、再生時間の不一致から異なるシーンであるか否かを判定してもよい。なお、４ｋ画像の分割の位置関係と、カードスロットの位置関係が対応しているので、どのカードスロットのメモリカードにずれが生じているかを容易に把握することができる。
【００７３】
ファイル名にずれがあることを認識したユーザは、ＰＣ等で一致しない組み合わせの符号化ファイルを削除する。ここでは、ユーザが、連番数字に「０００３」又は「０００５」が付された符号化ファイルを削除する。具体的には、ユーザが、第１メモリカード２４、第２メモリカード３４、及び第４メモリカード５４に含まれる連番数字「０００３」の符号化ファイルを削除し、第３メモリカード４４に含まれる連番数字「０００５」の符号化ファイルを削除する。これにより、４つのメモリカード２４、３４、４４、５４に連番数字が「０００１」と「０００４」の符号化ファイルのみ残る。従って、シーン数、及びファイル名を整合させることができる。また、ファイル数が一致している場合、録画可能とする。録画する場合、次の連番数字、ここでは「０００６」、あるいはそれ以降の連番数字を、ファイル名に付す。この場合でも、連番数字が「０００６」以降の４ｋ画像は、正常に録画、再生される。
【００７４】
さらに、ソフトウェア上で、４つのメモリカード２４、３４、４４、５４に記録しているシーンをプロテクトしてもよい。プロテクトしたシーンは、削除、編集できなくなる。４つの符号化ファイルを統一して、プロテクトの設定、解除を行うようにする。例えば、再生中のシーンをポーズした再生ポーズ状態において、そのシーンのプロテクトの設定、及び解除を行えるようにする。プロテクトの設定を行うと、ファイル名の連番数字が同じ４つの符号化ファイルが同時にプロテクトされる。さらには、記録されたシーンのリストを表示するインデックス画面からプロテクトの設定及び解除を行うことができるようにしてもよい。インデックス画面中では、第１メモリカード２４に記録された符号化ファイルのファイル名をリスト表示し、そのリスト中のファイル名をチェックすることで、プロテクトの設定が行われる。シーンのプロテクトは、４枚のメモリカードを同時に設定、解除する。プロテクトをした符号化ファイルについては、鍵マークを付して表示する。
【００７５】
シーンを削除する場合も同様に、再生ポーズ状態と、インデックス画面からシーンの削除操作を受け付けることができるようにする。シーンを削除する場合、４つの符号化ファイルを同時に削除するようにする。ユーザがシーンを削除する場合について、図１６を用いて説明する。ユーザがシーンのファイル名をチェックすると、削除する前にファイル名をチェックする。そして、ファイル名の不一致があった場合、削除を中止して、インデックス画面に戻る。すなわち、ファイル名が整合している場合に、ファイル削除を実行する。例えば、図１６に示す例では、第２メモリカード３４のみ、連番数字「０００３」の符号化ファイルがないため、ファイル名に不一致が生じている。従って、連番数字「０００３」以降の符号化ファイルの削除を中止して、インデックス画面に戻る。また、「削除が失敗しました（カードＣ）」のようなアラート（コーション）文章を表示させてもよい。
【００７６】
また、削除する場合、削除するシーンがプロテクトされているか否かをチェックする。削除するシーンがプロテクトされている場合、削除を中止するとともに、「削除できませんでした」というようなアラート文章を表示する。また、ＰＣ等によりプロテクトの設定、解除を行うと、４つのメモリカードで、プロテクト状態が一致しない組み合わせがある場合がある。例えば、"９８Ｄ＿０００１．ｍｐ４"のみがプロテクトされており、"９８Ａ＿０００１．ｍｐ４"、"９８Ｂ＿０００１．ｍｐ４"、"９８Ｃ＿０００１．ｍｐ４"がプロテクトされていない場合がある。この場合も、削除する前に、第１メインプロセッサ２１が各符号化ファイルのプロテクト状態を検出して、削除を中止する。
【００７７】
上記のように、ファイル数やディレクトリ名に応じて、ファイル管理を行うことで、容易にファイルを管理することができるようになる。例えば、メモリカードが装着された状態で、ディレクトリ名と、ファイル数を第２メインプロセッサ３１、第３メインプロセッサ４１、及び第４メインプロセッサ５１から第１メインプロセッサ２１に送信する。そして、ディレクトリ名、及びファイル数が整合しているか否かを判定している。さらに、画像を再生する場合や、削除を行う場合、対象となる符号化ファイルのファイル名を、第２メインプロセッサ３１、第３メインプロセッサ４１、及び第４メインプロセッサ５１から第１メインプロセッサ２１に送信する。そして、第１メインプロセッサ２１の制御部２１ａが、４つの符号化ファイルのファイル名が整合しているか否かを判定している。
【００７８】
こうすることで、４つのメモリカードに記録された全ての符号化ファイルのファイル名を、常時、第１メインプロセッサ２１で管理しなくてもよくなる。ファイル名を常時管理する場合、ファイル名の連番番号が「９９９９」まで対応しているため、最大で、４００００個の符号化ファイルの管理が必要となる。常時ファイル名による管理を行う場合、第１メインプロセッサ２１が全ファイル名を管理する必要が生じる。一方、ファイル数とディレクトリ名に応じて、ファイル管理することで、全ての符号化ファイルのファイル名を管理する必要が無くなり、容易に管理を行うことができる。そして、プロテクトの設定、解除や、ファイル削除の処理を行う場合、リストの上から何番目の符号化ファイルが処理対象となっているかの情報を、第１メインプロセッサ２１から第２メインプロセッサ３１、第３メインプロセッサ４１、第４メインプロセッサ５１に送信する。そして、第２メインプロセッサ３１、第３メインプロセッサ４１、第４メインプロセッサ５１が処理対象となっているファイル名、あるいは再生時間を、第１メインプロセッサ２１に送信する。
【００７９】
こうすることで、第２メインプロセッサ３１、第３メインプロセッサ４１、及び第４メインプロセッサ５１からバスラインを介して第１メインプロセッサ２１に伝送されるデータ量を少なくすることができる。換言すると、予めファイル数とディレクトリ名のみを、２メインプロセッサ３１、第３メインプロセッサ４１、及び第４メインプロセッサ５１からバスラインを介して第１メインプロセッサ２１に送信しておき、処理の都度、ファイル名を送信するようにすればよい。よって、バスラインで伝送されるデータ量を削減することができ、容易に管理することができるようになる。また、第２メインプロセッサ３１、第３メインプロセッサ４１、第４メインプロセッサ５１については、他のメインプロセッサが処理しているファイル名を把握する必要ない。よって、ファイル管理を容易に行うことができ、処理負荷を低減することができる。
【００８０】
なお、第１メインプロセッサ２１、第２メインプロセッサ３１、第３メインプロセッサ４１、及び第４メインプロセッサ５１としては、同じＣＰＵを用いることができる。
【００８１】
なお、メモリカード、ディレクトリ名、ファイル名等が整合しない場合、アラート（コーション）表示を行うようにしてもよい。例えば、シリアル番号の下二桁が「５０」の撮像装置１で第３メモリカード４４がフォーマットされ、シリアル番号の下二桁が「９８」の撮像装置１で第１メモリカード２４、第２メモリカード３４、第４メモリカード５４がフォーマットされている場合、図１７に示すようにアラート画面を表示させる。カードの組み合わせが違い、メモリカードが整合していないことをモニタ部６４のアラート画面がユーザに報知する。よって、ユーザが、録画、再生できないことを認識する。なお、アラート表示の文章によって、整合していないメモリカードを認識さえることとも可能である。例えば、「カードの組み合わせが正しくありません（カードＣ）」というような表示をモニタ部６４が行ってもよい。
【００８２】
また、第２カードスロット３３と第３カードスロット４３とに装着するメモリカードを反対した場合の例を図１８に示す。この場合、第２カードスロット３３に"９８Ｃ＿０００１"のディレクトリを有するメモリカードが装着され、第３カードスロット４３に"９８Ｃ＿０００１"のディレクトリを有するメモリカードが装着されることになる。この場合、図１８に示すようなアラート画面となる。これにより、メモリカードが整合しておらず、録画、再生できないことをユーザが認識する。なお、アラート表示の文章によって、整合していないメモリカードを認識さえることとも可能である。例えば、「カードが正しく挿入されていません（カードＢ、カードＣ）」というような表示をモニタ部６４が行ってもよい。
【００８３】
アラート表示中にディレクトリ名を合わせて表示している。こうすることで、どのカードスロットに装着されたメモリカードが整合していないかを把握することができる。アラート表示中に、整合していないメモリカードの情報を含ませることで、利便性を向上することができる。また、録画できないことや、再生できないことを示すアラート画面を表示させるようにしてもよい。例えば、ディレクトリ名やファイル数の不整合によって禁止される処理をアラート表示させることで、利便性を向上することができる。
【００８４】
さらに、カードアイコン表示部９５の表示によって、整合していないメモリカードをユーザに報知してもよい。アラート表示を５秒間行った後と、図１９に示すような表示画面を表示させる。第２メモリカード３４が整合していない場合、図１９に示すように、アイコンＢを点滅して表示させる。整合していないメモリカードに対応するアイコンの表示を、整合しているメモリカードに対応するアイコンに対して変えることで、整合していないメモリカードをユーザが容易に認識することができる。さらに、上記したように、４つのアイコンの位置関係と、４つのカードスロットの位置関係を一致させている。すなわち、４つのアイコンＡ〜Ｄの左上、右上、左下、左上の位置関係が、装着されたカードスロットの左上、右上、左下、左上の位置関係と一致している。これによって、どのカードスロットに装着されたメモリカードが整合していないか、ユーザが容易に把握することができる。メモリカードの装着状態を示すアイコンを表示させることで、アラート表示を速やかに消すことができるようになる。すなわち、アラート表示が一定時間経過後に消えた場合でも、ユーザが、アイコン表示により、装着状態の不具合を認識することができる。また、ディレクトリ名が一致していない場合、シーン数が一致していない場合、カードクラスが対応していない場合も、同様に、アラート表示、やアイコンの点滅表示を行ってもよい。これにより、不具合のあるメモリカードを容易に認識する。
【００８５】
上記のようにファイル管理する場合、メモリカード２４、３４、４４，５４がそれぞれカードスロット２３、３３、４３、５３に装着されたら、第１メインプロセッサ２１は、メモリカード２４、３４、４４、５４のディレクトリ名、及びファイル数に関する情報を受信する。そして、ディレクトリ名やファイル数が一致していない場合は、上記のように、アラート表示を行う。この段階では、メインプロセッサ３１、４１、５１からメモリカード３４、４４、５４に記録された符号化ファイルのファイル名が第１メインプロセッサ２１に送信されていない。そして、再生、削除、プロテクトを行うシーンを選択する場合、第１メモリカード２４に記録されている符号化ファイルのファイル名をリスト表示する。ユーザがリストから処理対象となるシーンを選択すると、リストの上から何番目のシーンが選択されたかを示す情報が、第１メインプロセッサ２１から第２メインプロセッサ３１、４１、５１に送信される。そして、リスト中の順番に基づいて、メインプロセッサ３１、４１、５１がメモリカード３４、４４、５４に記録された符号化ファイルのファイル名を読み出し、第１メインプロセッサ２１に送信する。そして、第１メインプロセッサ２１が、４つの符号化ファイルが整合しているかを判定する。整合している場合は、通常通り再生して、整合していない場合は、所定時間のみ再生させた後、アラート表示を行う。
【００８６】
（再生処理のフロー）
次に、ファイル数が一致している場合の再生処理時の制御フローについて、図６、及び図２０を用いて説明する。図２０は、再生処理の制御フローを示すフローチャートである。再生指示信号が入力されたか否かを指示信号入力部７１が判定する（ステップＳ１０１）。ユーザが再生ボタンを押すと、入力部１５がユーザ操作を受けて、再生指示信号を制御部２１ａに入力する（ステップＳ１０１のＹＥＳ）。なお、再生指示が無い場合（ステップＳ１０１のＮＯ）は、再生指示があるまで待機する。制御部２１ａの指示信号入力部７１には、入力部１５からの再生指示信号が入力される。
【００８７】
すると、メモリカード確認部７３は、メモリカードの確認を行う（ステップＳ１０２）。まず、ディレクトリ名確認部７４が、メモリカード確認指示信号を送信して、４つのメモリカードに作成されているディレクトリ名が揃っているか否かを確認する（ステップＳ１０３）。例えば、各メインプロセッサが、メモリカードのディレクトリ名を読み出し、メモリカード情報としてメモリカード確認部７３に送信する。メモリカード確認部７３がメモリカード情報に基づいて、ディレクトリ名の確認を行う。すなわち、４つのメモリカード２４、３４、４４、５４に作成されたディレクトリ名が、所定の条件を満たしているか確認する。具体的には、装置のシリアル番号及び連番数字がそれぞれ整合しており、カードの識別番号がそれぞれＡ〜Ｄになっている場合、ディレクトリ名が揃っていると判定する。
【００８８】
メモリカード確認部７３が４つのメモリカードに作成されたディレクトリ名が揃っていないと判定した場合、（ステップＳ１０３のＮｏ）、メモリカード確認部７３が不一致信号をアラート画面表示指示部７７に出力する。そして、アラート画面表示指示部７７がアラート画面表示指示信号をサブプロセッサ６１に出力して、アラート画面表示指示を行う（ステップＳ１０４）。これにより、モニタ部６４に、ディレクトリ名が一致していないことを示すアラート画面が表示される。また、上記のように、ディレクトリ名が整合していないメモリカードのアイコンを点滅させてもよい。
【００８９】
メモリカード確認部７３が４つのメモリカードに作成されたディレクトリ名が揃っていると判定した場合、（ステップＳ１０３のＹＥＳ）、カードクラス確認部７５がメモリカード確認指示信号を送信して、４つのメモリカードのカードクラスが適切であるか否かを確認する（ステップＳ１０５）。例えば、各メインプロセッサが、メモリカードのカードクラスを読み出し、メモリカード情報としてメモリカード確認部７３に送信する。メモリカード確認部７３がメモリカード情報に基づいて、カードクラスが適切であるか否かを判定する。例えば、メモリカード確認部７３は、カードクラス６以上を、適切なカードクラスと判定する。
【００９０】
カードクラスが適切でないと判定された場合、（ステップＳ１０５のＮｏ）、メモリカード確認部７３が不一致信号をアラート画面表示指示部７７に出力する。そして、アラート画面表示指示部７７がアラート画面表示指示信号をサブプロセッサ６１に出力して、アラート画面表示指示を行う（ステップＳ１０６）。これにより、モニタ部６４に、カードクラスが適切でないことを示すアラート画面が表示される。
【００９１】
カードクラスが適切であると判定された場合、（ステップＳ１０５のＹＥＳ）、リストＮｏをＸにセットする（ステップＳ１０７）。なお、リストＮｏは、ユーザが指定したシーンのリスト中における順番となる。例えば、ファイル名の連番数字が「０００２」、「０００４」、「０００５」の符号化ファイルが記録されており、ユーザがファイル名の連番数字が「０００４」の画像を再生しようと操作した場合、Ｘは"２"となる。このようにリストＮｏは、メモリカードに記録されている符号化ファイルのファイル名の連番数字と、ユーザが再生する符号化ファイルの連番数字に基づいて決定される。
【００９２】
そして、メモリカード確認部７３が一致信号を画像読み込み指示部７８に出力する。これにより、画像読み込み指示部７８が画像読み込み信号を各メインプロセッサに出力して、各メインプロセッサに指定ディレクトリのＸ番目の画像読み込み指示が行われる（ステップＳ１０８）。すなわち、各メモリカードに記録されている複数の符号化ファイルのうち、連番数字が小さいものから数えてＸ番目の符号化ファイルが読み込まれる。これにより、４ｋ画像の再生が行われる。さらに、各メインプロセッサから読み込んだ画像のファイル名をファイル名受信部８３が受信する（ステップＳ１０９）。そして、ファイル名一致判定部８１は、ファイル名が揃っているか否かを判定する（ステップＳ１１０）。
【００９３】
ファイル名一致判定部８１は、ファイル名が一致していない場合（ステップＳ１１０のＮｏ）、不一致信号をアラート画面表示指示部７７、及び時間計測部８２に出力する。なお、ファイル名が一致しない場合は、図１５に示すように、一部のメモリカードで符号化ファイルが削除された状態である。アラート画面表示指示部７７は、ファイル名が揃っていないことを示すアラート画面指示信号を、サブプロセッサ６１に出力して、アラート画面指示を行う（ステップＳ１１１）。さらに、時間計測部８２が予め設定された所定時間の計測を開始する（ステップＳ１１２）。
【００９４】
そして、所定時間経過したか否かを判定し（ステップＳ１１３）所定時間経過した場合は、終了する。すなわち、時間計測部８２において所定時間経過したことを受けて、画像読み込み停止指示部８４が、画像読み込み停止指示信号を各メインプロセッサに出力する。これにより、所定時間経過後に、画像読み込みが停止され、４ｋ画像の再生が停止する。ここでは、一部の領域で異なるシーンの画像が再生されるため、ユーザが、一部のメモリカードが整合していないことを認識することができる。例えば、第２の領域９２の画像だけずれた画像が再生される。このようにすることで、ユーザがファイル名の不一致を把握することができるため、利便性を向上することができる。なお、アラート画面の表示は、画像の再生前、又は再生後であってもよい。
【００９５】
ファイル名一致判定部８１は、ファイル名が一致している場合（ステップＳ１１０のＹｅｓ）、 再生停止指示があるか否かを判定する（ステップＳ１１４）。再生停止指示があった場合（ステップＳ１１４のＹｅｓ）、画像読み込み停止指示部８４が画像読み込み停止信号を各メインプロセッサに出力して、終了する。よって、画像読み込み停止が割り込んで処理され、４ｋ画像の再生が停止する。４ｋ画像の再生中に再生停止指示がない場合（ステップＳ１１４のＮｏ）、４ｋ画像の再生時間まで、引き続き再生を行う。そして、次のシーンを再生する場合は、リストＮｏをインクリメントして（ステップＳ１１５）、ステップＳ１０８に戻る。そして、同様の処理が行われ、次の連番数字の４ｋ画像が再生される。
【００９６】
（録画処理のフロー）
録画処理について、図６と図２１を用いて説明する。図２１は、録画処理のフローを示すフローチャートである。録画指示信号が入力されたか否かを指示信号入力部７１が判定する（ステップＳ２０１）。ユーザが録画ボタンを押すと、入力部１５がユーザ操作を受けて、録画指示信号を制御部２１ａに入力する（ステップＳ２０１のＹＥＳ）。なお、録画指示が無い場合（ステップＳ２０１のＮＯ）は、録画指示があるまで待機する。制御部２１ａの指示信号入力部７１には、入力部１５からの録画指示信号が入力される。
【００９７】
すると、メモリカード確認部７３は、メモリカードの確認を行う（ステップＳ２０２）。まず、ディレクトリ名確認部７４が、メモリカード確認指示信号を送信して、４つのメモリカードに作成されているディレクトリ名が揃っているか否かを確認する（ステップＳ２０３）。例えば、各メインプロセッサが、メモリカードのディレクトリ名を読み出し、メモリカード情報としてメモリカード確認部７３に送信する。メモリカード確認部７３がメモリカード情報に基づいて、ディレクトリ名の確認を行う。すなわち、４つのメモリカード２４、３４、４４、５４に作成されたディレクトリ名が、所定の条件を満たしているか確認する。具体的には、装置のシリアル番号及び連番数字がそれぞれ整合しており、カードの識別番号がそれぞれＡ〜Ｄになっている場合、ディレクトリ名が揃っていると判定する。
【００９８】
メモリカード確認部７３が４つのメモリカードに作成されたディレクトリ名が揃っていないと判定した場合、（ステップＳ２０３のＮｏ）、メモリカード確認部７３が不一致信号をアラート画面表示指示部７７に出力する。そして、アラート画面表示指示部７７がアラート画面表示指示信号をサブプロセッサ６１に出力して、アラート画面表示指示を行う（ステップＳ２０４）。これにより、モニタ部６４に、ディレクトリ名が一致していないことを示すアラート画面が表示される。また、上記のように、ディレクトリ名が整合していないメモリカードのアイコンを点滅させてもよい。
【００９９】
メモリカード確認部７３が４つのメモリカードに作成されたディレクトリ名が揃っていると判定した場合、（ステップＳ２０３のＹＥＳ）、カードクラス確認部７５がメモリカード確認指示信号を送信して、４つのメモリカードのカードクラスが適切であるか否かを確認する（ステップＳ２０５）。例えば、各メインプロセッサが、メモリカードのカードクラスを読み出し、メモリカード情報としてメモリカード確認部７３に送信する。メモリカード確認部７３がメモリカード情報に基づいて、カードクラスが適切であるか否かを判定する。ここでは、例えば、カードクラス確認部７５がカードクラス６以上を適切なカードクラスと判定している。
【０１００】
カードクラスが適切でないと判定された場合、（ステップＳ２０５のＮｏ）、メモリカード確認部７３が不一致信号をアラート画面表示指示部７７に出力する。そして、アラート画面表示指示部７７がアラート画面表示指示信号をサブプロセッサ６１に出力して、アラート画面表示指示を行う（ステップＳ２０６）。これにより、モニタ部６４に、カードクラスが適切でないことを示すアラート画面が表示される。
【０１０１】
カードクラスが適切であると判定された場合、（ステップＳ２０５のＹＥＳ）、メモリカード確認部７３が一致信号を録画開始指示部７６に出力する。そして、録画開始指示部７６が録画開始指示信号を各メインプロセッサに送信して、録画開始指示を行う（ステップＳ２０７）。これにより、４つのメインプロセッサが割り当てられた領域の分割画像を符号化して、符号化ファイルとして記録する。このように、予めメモリカードに格納されているファイル数が一致していることが分かっているため、ファイル名を確認せずに録画を行うことができる。
【０１０２】
上記の制御についてまとめると、以下の通りとなる。４つのメモリカードを１セットとして、同時にフォーマットする。そして、フォーマット時に、４ｋ画像用の符号化ファイルを格納するためのディレクトリを作成する。さらに、ディレクトリ名は、予め設定されたルールに従って決定される。メモリカードを複数セット用いることを想定して、ファイル管理を行う。具体的には、４つのメモリカードのディレクトリ名が整合していない場合、録画、再生が制限される。ディレクトリ名に撮像装置のシリアル番号の一部と、カード番号（Ａ〜Ｄ）を含ませるようにする。そして、シリアル番号が一致し、装着されたカードスロットに応じてメモリ−カードにそれぞれ割り当てられた各カード番号（Ａ〜Ｄ）がディレクトリ名に含まれている条件下では、録画可能になる。
【０１０３】
具体的には、他の撮像装置１でフォーマットしたメモリカードを使用する場合や、メモリカードを適切なカードスロットに装着していない場合は、録画、再生が制限される。同様に、４つのメモリカードのファイル数が一致していないと、録画、再生が制限される。このような場合、モニタ部６４が、アラート画面を表示する。また、４つのメモリカードのファイル数が一致しているが、ファイル名が整合していない場合、一部の再生を制限して、録画を制限しない。再生する場合、リストＮｏで４つのメモリカードから読み込む符号化ファイルを指定して、それらのファイル名が整合しているか否かを判定する。ファイル名が整合していない場合、ユーザに認識させるために、予め設定された時間（例えば、５秒程度）のみ再生する。このように管理することでユーザの利便性を向上することができる。
【０１０４】
（アイコン表示の制御）
また、カードアイコン表示部９５の表示を行うための制御について、図２２を用いて説明する。図２２は、制御部２１ａの構成を示す機能ブロック図である。なお、図６で示した構成については、一部省略している。制御部２１ａには、アイコン表示指示部８５が設けられている。メモリカード確認部７３が４つのメモリカードを確認する。そして、その確認結果を、アイコン表示指示部８５に出力する。アイコン表示指示部８５は、図１９に示したように、整合していないメモリカードに対応するアイコンを点滅させる。もちろん、整合していないメモリカードの表示は、点滅表示に限らず、色を変えたり、整合していないことを示す×印などを重複して表示させたりしてもよい。これにより、アラート表示が終了した後でも、整合していないメモリカードをユーザが容易に把握することができる。
【０１０５】
このように、表示画面中にカードアイコン表示部９５を設ける。そして、カードスロット２３、３３、４３、５３に対するメモリカードの装着状態に応じて、アイコンＡ〜Ｄの表示を変更する。すなわち、アイコンＡ〜Ｄの表示を点灯表示から、点滅表示に切り替える。さらに、カードアイコン表示部９５におけるアイコンＡ〜Ｄの位置関係を第１カードスロット２３、３３、４３、５３の位置関係と一致させている。ここでは、第１カードスロット２３に対応するアイコンＡを左上、第２カードスロット３３に対応するアイコンＢを右上、第３カードスロット４３に対応するアイコンＣを左下、第１カードスロット２３に対応するアイコンＤを右下に表示している。こうすることで、どのカードスロットにメモリカードが装着されていないか、容易に認識することができる。よって、未装着のカードスロットに対して、容易にメモリカードを装着させることができる。なお、カードスロット２３、３３、４３、５３に対するメモリカードの検出状態を検出する検出手段を設け、この検出結果によってアイコンの表示状態を変更すればよい。また、検出手段は物理的、又は電気的に、メモリカードの装着状態を検出するものであればよい。また、ディレクトリ名が一致していない場合、シーン数が一致していない場合、カードクラスが対応していない場合も、同様に、アラート表示、やアイコンの点滅表示を行ってもよい。これにより、不具合のあるメモリカードを容易に認識する。
【０１０６】
（符号化ファイルのデータ構造）
なお、４ｋ画像を４等分して、符号化する場合、各領域の一部をオーバーラップさせることがある。デコード時にデータのオーバーラップ部分を線形補間することで、領域の境界部分でのつなぎ目が視認されにくくなる。こうすることで、表示品質を向上することができる。このように、領域の一部を重複させる場合、デコード時に、重複する部分の大きさの情報が必要となる。例えば、異なるモードで撮像する場合や、異なる撮像装置１で撮像する場合、重複部分の大きさが異なることがある。この場合、撮像装置１や外部表示装置１０２で４ｋ画像を再生する時に、線形補間を適切に行うことができなくなってしまう。そこで、本実施の形態では、オーバーラップ部分に関する位置情報を、符号化ファイルに含ませている。以下、符号化ファイルのデータ構造について説明する。
【０１０７】
図２３は、ＭＰ４ファイルである符号化ファイルのデータ構造を模式的に示す図である。符号化ファイルには、ｆｔｙｐ  ａｔｏｍと、ｆｒｅｅ  ａｔｏｍと、ｍｄａｔ  ａｔｏｍと、ｍｏｏｖ  ａｔｏｍとが含まれている。ｆｔｙｐ  ａｔｏｍは、ヘッダ情報である。ｍｄａｔ  ａｔｏｍは、オーディオとビデオのストリームデータである。ｍｏｏｖ  ａｔｏｍは、ｍｄａｔ  ａｔｏｍの管理情報である。ｆｒｅｅ  ａｔｏｍには、各社の独自情報を入れることができ、再生用のプレーヤではスキップされる。ｆｒｅｅ  ａｔｏｍの挿入位置は特に限られるものではないが、ここでは、ｆｔｙｐ  ａｔｏｍの直後にｆｒｅｅ  ａｔｏｍにオーバーラップ情報を含ませている。すなわち、ＭＰ４ファイルに、位置情報を含むｆｒｅｅ  ａｔｏｍを付加している。
【０１０８】
図２４は、オーバーラップに関する情報を示す表である。ｆｒｅｅ  ａｔｏｍは、横方向画面サイズ（Ｈ  Ｓｉｚｅ）と、縦方向画面サイズ（Ｖ  Ｓｉｚｅ）とが格納されている。４ｋ画像を分割する場合、横方向画面サイズ（Ｈ  Ｓｉｚｅ）は、分割画像の解像度（１９２０）となり、縦方向画面サイズ（Ｖ  Ｓｉｚｅ）は、分割後の画像の解像度（１０８０）となる。横方向画面サイズ（Ｖ  Ｓｉｚｅ）と、縦方向画面サイズ（Ｈ  Ｓｉｚｅ）は、それぞれ２バイトのデータである。
【０１０９】
ｆｒｅｅ  ａｔｏｍには、オーバーラップ情報(ｏｖｅｒｌａｐ）と、マルチスクリーン情報（ｉｓ＿ｍｕｌｔｉｐｌｅ＿ｓｃｒｅｅｎ）と、横方向合成サイズ（ｃｏｍｂｉｎｅｄ  ｓｉｚｅ  Ｈ）と、縦方向合成サイズ（ｃｏｍｂｉｎｅｄ  Ｓｉｚｅ  Ｖ）と、横方向位置（Ｈｏｒｉｚｏｎｔａｌ ｐｏｓｉｔｉｏｎ)と、縦方向位置（Ｖｅｒｔｉｃａｌ ｐｏｓｉｔｉｏｎ）とが、含まれている。これらが、全体画像において各分割画像の位置を特定するための位置情報として格納されている。オーバーラップ情報(ｏｖｅｒｌａｐ）はオーバーラップの有無を示すフラグである。オーバーラップ情報の値に応じて、隣接する分割画面が重複するように分割する重複モードか、重複しないように分割する非重複モードかが、判定される。
【０１１０】
マルチスクリーン情報（ｉｓ＿ｍｕｌｔｉｐｌｅ＿ｓｃｒｅｅｎ）は撮像モードを示すフラグである。マルチスクリーン情報の値に応じて、４ｋ画像を記録する高解像度モードか、ＨＤ画像を記録する通常モードが判定される。マルチスクリーン情報（ｉｓ＿ｍｕｌｔｉｐｌｅ＿ｓｃｒｅｅｎ）は画像の分割の有無を示す画面構成情報となる。換言すると、マルチスクリーン情報に応じて、各符号化ファイルのストリームデータが、４ｋ画像の全体画面の一部分か、ＨＤ画像の全体であるかを認識することができる。横方向合成サイズ（ｃｏｍｂｉｎｅｄ  ｓｉｚｅ  Ｈ）と、縦方向合成サイズ（ｃｏｍｂｉｎｅｄ  ｓｉｚｅ  Ｖ）は、合成後の画像サイズを示している。重複のない高解像度モード（４ｋ画像）の場合、横方向画像サイズは、３８４０であり、縦方向画像サイズは、２１６０となる。なお、通常モード（ＨＤ画像）の場合、複数の分割画像を合成しないので、横合成画像サイズ（ｃｏｍｂｉｎｅｄ  ｓｉｚｅ  Ｈ）、及び縦方向合成サイズ（ｃｏｍｂｉｎｅｄ  ｓｉｚｅ  Ｖ）はそれぞれ０とする。
【０１１１】
横方向位置（Ｈｏｒｉｚｏｎｔａｌ ｐｏｓｉｔｉｏｎ）と、縦方向位置（Ｖｅｒｔｉｃａｌ ｐｏｓｉｔｉｏｎ）は合成画像における分割画像の縦横の位置を示している。なお、ＨＤ画像の場合、複数の分割画像が合成されてないので、横方向位置（Ｈｏｒｉｚｏｎｔａｌ ｐｏｓｉｔｉｏｎ）、及び縦方向位置（Ｖｅｒｔｉｃａｌ ｐｏｓｉｔｉｏｎ）はそれぞれ０とする。横方向合成サイズ（ｃｏｍｂｉｎｅｄ  Ｓｉｚｅ  Ｈ）と、縦方向合成サイズ（ｃｏｍｂｉｎｅｄ  Ｓｉｚｅ  Ｖ）と、横方向位置（Ｈｏｒｉｚｏｎｔａｌ ｐｏｓｉｔｉｏｎ）と、縦方向位置（Ｖｅｒｔｉｃａｌ ｐｏｓｉｔｉｏｎ）は、それぞれ２バイトのデータである。
【０１１２】
図２５は、ｆｒｅｅ  ａｔｏｍに含まれるデータを模式的に示す図である。ｆｒｅｅ  ａｔｏｍには、横方向位置（Ｈ  ｓｉｚｅ）と、縦方向位置（Ｖ  ｓｉｚｅ）と、オーバーラップ情報(ｏｖｅｒｌａｐ）と、マルチスクリーン情報（ｉｓ＿ｍｕｌｔｉｐｌｅ＿ｓｃｒｅｅｎ）と、横方向合成サイズ（ｃｏｍｂｉｎｅｄ  ｓｉｚｅ  Ｈ）と、縦方向合成サイズ（ｃｏｍｂｉｎｅｄ  Ｓｉｚｅ  Ｖ）と、横方向位置（Ｈｏｒｉｚｏｎｔａｌ ｐｏｓｉｔｉｏｎ)と、縦方向位置（Ｖｅｒｔｉｃａｌ ｐｏｓｉｔｉｏｎ）とが格納されている。さらに、ｆｒｅｅ  ａｔｏｍには、全体画像のサムネイル画像のデータ（ｔｈｕｍｎａｉｌ  ｄａｔａ）が格納されている。サムネイル画像のサイズは、３２ｋバイトとなっている。なお、サムネイル画像の生成については、後述する。
【０１１３】
なお、図２６に示すように、横方向位置（Ｈｏｒｉｚｏｎｔａｌ ｐｏｓｉｔｉｏｎ）と、縦方向位置（Ｖｅｒｔｉｃａｌ ｐｏｓｉｔｉｏｎ）は、全体画像の左上の座標が（０，０）、右下の座標が（１９２０×２−１，１０８０×２−１）となる直交座標系で示されている。なお、横方向位置（Ｈｏｒｉｚｏｎｔａｌ ｐｏｓｉｔｉｏｎ）と、縦方向位置（Ｖｅｒｔｉｃａｌ ｐｏｓｉｔｉｏｎ）は、第１〜第４の領域９１〜９４の左上角の座標を示している。
【０１１４】
次に、非重複モードで４ｋ画像を記録したときの位置情報を説明する。図２７では、第１〜第４の領域９１〜９４に対応する符号化ファイル中に格納された位置情報を示す表である。４つの符号化ファイルとも、横方向画面サイズ（Ｈｏｒｉｚｏｎｔａｌ  Ｓｉｚｅ）は１９２０となり、縦方向画面サイズ（Ｖｅｒｔｉｃａｌ  Ｓｉｚｅ）は１０８０となり、オーバーラップ情報(ｏｖｅｒｌａｐ）は非重複モードを示す０となり、マルチスクリーン情報（ｉｓ＿ｍｕｌｔｉｐｌｅ＿ｓｃｒｅｅｎ）は、高解像度モードを示す１となり、横方向合成サイズ（ｃｏｍｂｉｎｅｄ  Ｓｉｚｅ  Ｈ）は３８４０となり、縦方向合成サイズ（ｃｏｍｂｉｎｅｄ  Ｓｉｚｅ  Ｖ）は２１６０となっている。横方向位置（Ｈｏｒｉｚｏｎｔａｌ ｐｏｓｉｔｉｏｎ）と、縦方向位置（Ｖｅｒｔｉｃａｌ ｐｏｓｉｔｉｏｎ）とは、４つの符号化ファイルで異なっている。例えば、第１の領域９１に対応する符号化ファイルには、横方向位置（Ｈｏｒｉｚｏｎｔａｌ ｐｏｓｉｔｉｏｎ）と、縦方向位置（Ｖｅｒｔｉｃａｌ ｐｏｓｉｔｉｏｎ）は、（０，０）となる。第２の領域９２、第３の領域９３、第４の領域９４に対応する符号化ファイルでは、横方向位置（Ｈｏｒｉｚｏｎｔａｌ ｐｏｓｉｔｉｏｎ）と、縦方向位置（Ｖｅｒｔｉｃａｌ ｐｏｓｉｔｉｏｎ）は、それぞれ（１９２０，０）、（０，１０８０）、（１９２０，１０８０）となる。
【０１１５】
次に、隣接する領域を１６画素オーバーラップさせた場合について、図２８を用いて説明する。この場合、横方向合成サイズは、３８２４（＝１９２０×２−１６）となり、縦方向合成サイズは、２１４４（＝１０８０×２−１６）となる。４つの符号化ファイルとも、横方向画面サイズ（Ｈｏｒｉｚｏｎｔａｌ  Ｓｉｚｅ）は１９２０となり、縦方向画面サイズ（Ｖｅｒｔｉｃａｌ  Ｓｉｚｅ）は１０８０となり、オーバーラップ情報(ｏｖｅｒｌａｐ）は重複モードを示す１となり、マルチスクリーン情報（ｉｓ＿ｍｕｌｔｉｐｌｅ＿ｓｃｒｅｅｎ）は高解像度モードを示す１となる。
【０１１６】
横方向位置（Ｈｏｒｉｚｏｎｔａｌ ｐｏｓｉｔｉｏｎ）と、縦方向位置（Ｖｅｒｔｉｃａｌ ｐｏｓｉｔｉｏｎ）とは、４つの符号化ファイルで、異なっている。例えば、第１の領域９１に対応する符号化ファイルには、横方向位置（Ｈｏｒｉｚｏｎｔａｌ ｐｏｓｉｔｉｏｎ）と、縦方向位置（Ｖｅｒｔｉｃａｌ ｐｏｓｉｔｉｏｎ）は、（０，０）となる。第２の領域９２、第３の領域９３、第４の領域９４に対応する符号化ファイルでは、横方向位置（Ｈｏｒｉｚｏｎｔａｌ ｐｏｓｉｔｉｏｎ）と、縦方向位置（Ｖｅｒｔｉｃａｌ ｐｏｓｉｔｉｏｎ）は、それぞれ（１９０４，０）、（０，１０６４）、（１９４０，１０６４）となる。
【０１１７】
次に、通常モードで記録した場合について、図２９を用いて説明する。この場合、第１のメモリカード２４にのみＨＤ画像が記録され、第２のメモリカード３４、第３のメモリカード４４、第４のメモリカード５４は使用されない。第１のメモリカード２４に記録され横方向画面サイズ（Ｈｏｒｉｚｏｎｔａｌ  Ｓｉｚｅ）は１９２０となり、縦方向画面サイズ（Ｖｅｒｔｉｃａｌ  Ｓｉｚｅ）は１０８０となり、マルチスクリーン情報（ｉｓ＿ｍｕｌｔｉｐｌｅ＿ｓｃｒｅｅｎ）を通常モードを示す０となる。通常モードの場合、オーバーラップ情報(ｏｖｅｒｌａｐ）、横方向合成サイズ（ｃｏｍｂｉｎｅｄ  Ｈｏｒｉｚｏｎｔａｌ  Ｓｉｚｅ）、縦方向合成サイズ（ｃｏｍｂｉｎｅｄ  Ｖｅｒｔｉｃａｌ  Ｓｉｚｅ）、横方向位置（Ｈｏｒｉｚｏｎｔａｌ ｐｏｓｉｔｉｏｎ）、及び縦方向位置（Ｖｅｒｔｉｃａｌ ｐｏｓｉｔｉｏｎ）は、不要となるため、０となる。
【０１１８】
さらに、全体画像を上下左右に分割するのではなく、図３０に示すように分割することも可能である。図３０に示す例では、横方向に第１〜第４の領域９１が配列されるように、全体画像９０を分割している。従って、第１〜第４の領域９１〜９４は、縦方向の短冊状の領域となっている。そして、隣接する領域が１６ピクセル重複している。なお、図３０に示す例では、１列に配置されているため各領域の上下は、重複していない。横方向合成サイズ（ｃｏｍｂｉｎｅｄ  Ｈｏｒｉｚｏｎｔａｌ  Ｓｉｚｅ）は、３７９２（＝９６０×４−１６×３）となり、縦方向合成サイズ（ｃｏｍｂｉｎｅｄ  Ｖｅｒｔｉｃａｌ  Ｓｉｚｅ）は、２１６０となる。４つの符号化ファイルとも、横方向画面サイズ（Ｈ  Ｓｉｚｅ）は９６０となり、縦方向画面サイズ（Ｖｅｒｔｉｃａｌ  Ｓｉｚｅ）は２１６０となり、オーバーラップ情報(ｏｖｅｒｌａｐ）は重複モードを示す１となり、マルチスクリーン情報（ｉｓ＿ｍｕｌｔｉｐｌｅ＿ｓｃｒｅｅｎ）は、高解像度モードを示す１となる。
【０１１９】
横方向位置（Ｈｏｒｉｚｏｎｔａｌ ｐｏｓｉｔｉｏｎ）と、縦方向位置（Ｖｅｒｔｉｃａｌ ｐｏｓｉｔｉｏｎ）とは、４つの符号化ファイルで、異なっている。例えば、第１の領域９１に対応する符号化ファイルには、横方向位置（Ｈｏｒｉｚｏｎｔａｌ ｐｏｓｉｔｉｏｎ）と、縦方向位置（Ｖｅｒｔｉｃａｌ ｐｏｓｉｔｉｏｎ）は、（０，０）となる。第２の領域９２、第３の領域９３、第４の領域９４に対応する符号化ファイルでは、横方向位置（Ｈｏｒｉｚｏｎｔａｌ ｐｏｓｉｔｉｏｎ）と、縦方向位置（Ｖｅｒｔｉｃａｌ ｐｏｓｉｔｉｏｎ）は、それぞれ（９４４，０）、（１８８８，０）、（２８３２，０）となる。
【０１２０】
さらに、分割数を４以上とすることも可能である。図３１では、全体画像を縦４×横４の１６個に分割している。従って、４Ｋ２Ｋ画像の約４倍のサイズを有する８Ｋ４Ｋ画像の記録も可能となる。なお、図３１では、１６個の領域をＡ〜Ｐとして識別している。この場合、１６個のメモリカードを用意する。あるいは１つのメモリカードに２以上の符号化ファイルを記録して、必要なメモリカード数を減らしてもよい。各符号化ファイルの横方向画面サイズ（Ｈｏｒｉｚｏｎｔａｌ  Ｓｉｚｅ）は１９２０とし、縦方向画面サイズ（Ｖｅｒｔｉｃａｌ  Ｓｉｚｅ）は１０８０とし、隣接する領域が１６ピクセル重複しているとする。この場合、オーバーラップ情報(ｏｖｅｒｌａｐ）は重複モードを示す１となり、マルチスクリーン情報（ｉｓ＿ｍｕｌｔｉｐｌｅ＿ｓｃｒｅｅｎ）は、高解像度モードを示す１となる。横方向合成サイズ（ｃｏｍｂｉｎｅｄ  Ｈｏｒｉｚｏｎｔａｌ  Ｓｉｚｅ）は、７６３２（＝１９２０×４−１６×３）となり、縦方向合成サイズ（ｃｏｍｂｉｎｅｄ  Ｖｅｒｔｉｃａｌ  Ｓｉｚｅ）は、４２７２（＝１０８０×４−１６×３）となる。
【０１２１】
横方向位置（Ｈｏｒｉｚｏｎｔａｌ ｐｏｓｉｔｉｏｎ)と、縦方向位置（Ｖｅｒｔｉｃａｌ ｐｏｓｉｔｉｏｎ）とは、１６個の符号化ファイルで、異なっている。例えば、領域Ａに対応する符号化ファイルには、横方向位置（Ｈｏｒｉｚｏｎｔａｌ ｐｏｓｉｔｉｏｎ)と、縦方向位置（Ｖｅｒｔｉｃａｌ ｐｏｓｉｔｉｏｎ）は、（０，０）となる。領域Ｂ〜領域Ｐに対応する符号化ファイルでは、横方向位置（Ｈｏｒｉｚｏｎｔａｌ ｐｏｓｉｔｉｏｎ)と、縦方向位置（Ｖｅｒｔｉｃａｌ ｐｏｓｉｔｉｏｎ）は、それぞれ（１９０４，０）、（３８０８，０）、（５７１２，０）、（０，１０６４）、（１９０４，１０６４）、（３８０８，１０６４）、（５７１２，１０６４）、（０，２１２８）、（１９０４，２１２８）、（３８０８，２１２８）、（５７１２，２１２８）、（０，３１９２）、（１９０４，３１９２）、（３８０８，３１９２）、（５７１２，３１９２）となる。
【０１２２】
このように、符号化ファイルに位置情報を組み込むことによって、様々な高解像度画像に対応することができる。例えば、オーバーラップ領域のサイズや、全体画像のサイズ、分割画像のサイズなどを変えた場合でも、適切に再生することができる。さらに、ｆｒｅｅ  ａｔｏｍ中に位置情報を含ませることによって、簡便に処理することができる。例えば、符号化ファイルを構築する際に、第１メインプロセッサ２１が位置情報をｆｒｅｅ  ａｔｏｍ中に挿入する。
【０１２３】
再生時には、このような位置情報をサブプロセッサ６１が読み出す。そして、位置情報に応じて、分割画像を合成する。また、オーバーラップしている場合は、重複部分に対して、補間処理を行う。こうすることで、適切に再生することができる。また、オーバーラップしている場合は、重複部分に対して、補間処理を行う。こうすることで、表示品質を向上することができる。なお、各符号化ファイルの分割画像のサイズは、同一に限られるものではない。例えば、全体画像９０の左半分を図２８に示すように上下に分割して、
右半分を図３０に示すように左右に分割するようにしてもよい。
【０１２４】
なお、位置情報には、画像における分割画像の座標、及び分割画像の画像サイズが含まれている。位置情報には、オーバーラップ情報(ｏｖｅｒｌａｐ）は重複モードを示す１となり、マルチスクリーン情報（ｉｓ＿ｍｕｌｔｉｐｌｅ＿ｓｃｒｅｅｎ）が含まれている。よって、全体画像における各分割画像の位置を特定することができる。これにより、外部表示装置１００によっても、適切に再生することができる。
【０１２５】
（サムネイル画像の生成）
上記のように、４ｋ画像は、各メインプロセッサ２で、１９２０×１０８０のサイズでエンコードされ、符号化ファイル（ＭＰ４ファイル）が作成される。従って、各メモリカードには、１／４ずつのストリームしか書き込まれない。本実施の形態では、４ｋモードで記録した符号化ファイルに、サムネイル画像を格納している。サムネイル画像は、合成後の全体画像の静止画となっている。例えば、１フレーム分の全体画像をサムネイル画像としている。このようにすることで、ユーザが、どのシーンの画像を記録した符号化ファイルであるかを容易に把握することができる。以下、サムネイル画像の生成処理について説明する。
【０１２６】
図３２、及び図３３は、画像のエンコード処理と、サムネイル画像の作成処理を示すフローチャートである。なお、図３３は、図３２のフローの続きを示している。ユーザ操作により、記録開始の操作が受け付けられると（ステップＳ３０１）、ＣＭＯＳセンサである撮像素子１２が４ｋ画像を入力する（ステップＳ３０２）。すると、メインプロセッサ２１、３１、４１、５１に４ｋ画像が入力される（ステップＳ３０３）。メインプロセッサ２１、３１、４１、５１には、分割前の全体画像９０の画像データが入力される。そして、メインプロセッサ２１、３１、４１、５１のカメラブロックに４ｋ画像が入力される（ステップＳ３０４）。カメラブロックは、図４に示したカメラ制御部２７と、後述する画像切り出し部やＪＰＥＧエンコーダ等が設けられたブロックである。なお、図４では図示していないが、メインプロセッサ３１、４１、５１にもメインプロセッサ２１と同様のカメラ制御部２７が設けられている。
【０１２７】
まず、ＨＤ動画のエンコード処理について説明する。なお、上記のステップＳ３０３から下記のＳ３１０までの処理は、４つのメインプロセッサ２１、３１、４１、５１で同様に実行される。従って、メインプロセッサ３１、４１、５１での処理については適宜省略し、メインプロセッサ２１の処理を中心に説明する。カメラブロックの画像切り出し部で、４ｋ画像から各メインプロセッサが担当するＨＤ画像を切り出す（ステップＳ３０５）。そして、メインプロセッサ２１のバックエンドブロックが、入力されたＨＤ画像を外部メモリである第１メモリ２２に書き出す（ステップＳ３０６）。なお、バックエンドブロックは、システム制御部２８やＨ２６４．エンコーダ等が設けられている。
【０１２８】
バックエンドブロックのＨ．２６４エンコーダが第１メモリ２２に記録された画像データを取得して、エンコードする（ステップＳ３０７）。そして、Ｈ．２６４エンコーダが、エンコード結果のＡＶストリームを第１メモリ２２のストリームバッファに書き出す（ステップＳ３０８）。そして、バックエンドブロックのシステム制御部２８が、ストリームバッファからＡＶストリームデータを読み出して、第１メモリカード２４に書き出す（ステップＳ３０９）。ユーザ操作による記録停止を受け付けた時、又は長時間記録してファイルサイズがファイルシステムの上限値に到達した時に、次のステップＳ３１４に進み、ＭＰ４ファイルを構築する。なお、ファイルシステムの上限値とは、撮像装置１において１つの符号化ファイルとして記録できる最大のファイルサイズであり、例えば、４Ｇバイトとなっている。長時間連続して記録すると、符号化ファイルが、ファイルシステムの上限値を越えてしまうため、別の符号化ファイルとして記録する。
【０１２９】
次に、サムネイル画像の作成処理について説明する。ここでは、ＪＰＥＧフォーマットのサムネイル画像を作成している。なお、サムネイル画像のサイズとしては、例えば、１６０×９６とすることができる。サムネイル画像の作成については、第１メインプロセッサ２１のみが担当する。すなわち、メインプロセッサ３１、４１、５１は、サムネイル画像の作成処理を行わない。
【０１３０】
まず、第１メインプロセッサ２１内のカメラブロックのＪＰＥＧエンコーダに４ｋ画像を入力する（ステップＳ３１１）。なお、サムネイル画像を作成するタイミングは任意であるが、ここでは、動画の記録開始直後、又は長時間記録し、画像ファイルがファイルシステムの上限値に到達し、新しいファイルを作成するときに、以下に示すように、サムネイル画像を作成している。すなわち、新しい符号化ファイルを作成するタイミングで、サムネイル画像を作成している。これにより、動画像の最初のタイミングでの全体画像がサムネイル画像となる。
【０１３１】
第１メインプロセッサ２１のカメラブロックに設けられたＪＰＥＧエンコーダが、サムネイル用のＪＰＥＧデータを作成する（ステップＳ３１２）。すなわち、符号化前の４ｋ画像をＪＰＥＧ形式でエンコードすることで、サムネイル画像が作成される。符号化前の４ｋ画像の１フレーム分の画像データに基づいて、サムネイル画像を作成することで、処理を簡略化することができる。そして、カメラブロックが外部メモリである第１メモリ２２に、ＪＰＥＧデータを書き出す（ステップＳ３１３）。
【０１３２】
ＪＰＥＧ形式のエンコード処理（ステップＳ３１１〜ステップＳ３１３）は、ＨＤ動画のエンコード処理（ステップＳ３０５〜ステップＳ３０９）と同時に行われている。例えば、録画開始ボタンを押したタイミングでの全体画像からサムネイル画像を作成する処理と並行して、ＨＤ動画のエンコード処理が行われる。そして、ステップＳ３１４で第１メインプロセッサ２１のバックエンドブロックのシステム制御部２８が、ｍｏｏｖデータ、ストリームファイル、ＪＰＥＧデータ（サムネイル画像）を使って、ＭＰ４ファイルを構築する。これにより、ＭＰ４ファイルが符号化ファイルとして、第１メモリカード２４に記録される。
【０１３３】
次に、ユーザ操作によって記録停止が受け付けられたか否かを判定する（ステップＳ３１５）。ユーザ操作により、記録停止が受け付けられた場合（ステップＳ３１５のＹＥＳ）、記録終了する（ステップＳ３１６）。記録停止が受け付けられていない場合（ステップＳ３１５のＮＯ）、すなわちファイルシステムの上限値に達した場合、記録を継続するために、ステップＳ３０９に戻る。このようにサムネイル画像を作成して、符号化ファイルに付加することで、ユーザが容易にサムネイル画像を確認することができる。なお、サムネイル画像は上記のように３２ｋバイトであり、図２５に示したように、ｆｒｅｅ  ａｔｏｍに格納されている。
【０１３４】
このように、第１メインプロセッサ２１のみがサムネイル画像を作成している。こうすることで、第２メインプロセッサ３１、第３メインプロセッサ４１、第４メインプロセッサ５１での処理量を低減することができる。よって、第２メモリ３２、第３メモリ４２、第４メモリ５２の容量が大きくなるのを防ぐことができる。もちろん、第２メモリ３２、第３メモリ４２、第４メモリ５２の容量が十分大きければ、各メモリカード２４、３４、４４、５４に全体画像のサムネイル画像を格納するようにしてもよい。
【０１３５】
また、上記のように、第１メインプロセッサ２１がメモリカードに格納されたファイル数によってファイル管理を行っている。従って、サムネイル画像を第１メモリカード２４に符号化ファイルに格納しておくことで、ファイル管理を容易に行うことができる。例えば、サムネイル画像を作成するためにサブプロセッサ６１が合成処理を行う必要がなくなる。さらに、記録したシーンのリストを表示させる場合、第１メモリカード２４に記録された符号化ファイルのサムネイル画像を読み込み、サムネイル画像を表示させる。これにより、記録したシーンをリスト表示する段階では、第２メモリカード３４、第３メモリカード４４、第４メモリカード５４に記録された符号化ファイルを読み込む必要がなくなる。そして、リストを確認中のユーザが入力部１５を操作して、再生、削除、プロテクト等の処理を行った段階で、第２メモリカード３４、第３メモリカード４４、第４メモリカード５４に記録された符号化ファイルを読み込めばよい。よって、逐一符号化ファイルを読み込む必要が無くなるため、処理を簡略化することができる。ユーザの利便性を向上することができるとともに、不要な処理を抑制することができる。
【０１３６】
なお、本発明は上記実施の形態に限られたものではなく、趣旨を逸脱しない範囲で適宜変更することが可能である。また、上記の処理は、メインプロセッサのＲＯＭ等に格納されたコンピュータプログラムによって実行可能である。上述の例において、各処理をコンピュータ（プロセッサ）に行わせるための命令群を含むプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【０１３７】
１  撮像装置
１１  レンズ部
１２  撮像素子
１３  オーディオＩＣ
１４  音声入出力部
１５  入力部
２１  第１メインプロセッサ
２１ａ  制御部
２１ｂ  第１符号化部
２１ｃ  第１画像格納部
２１ｄ  第１画像読み込み部
２２  第１メモリ
２３  第１カードスロット
２４  第１メモリカード
２７  カメラ制御部
２８  システム制御部
３１  第２メインプロセッサ
３１ｂ  第２符号化部
３１ｃ  第２画像格納部
３１ｄ  第２画像読み込み部
３２  第２メモリ
３３  第２カードスロット
３４  第２メモリカード
４１  第３メインプロセッサ
４１ｂ  第３符号化部
４１ｃ  第３画像格納部
４１ｄ  第３画像読み込み部
４２  第３メモリ
４３  第３カードスロット
４４  第３メモリカード
５１  第４メインプロセッサ
５１ｂ  第４符号化部
５１ｃ  第４画像格納部
５１ｄ  第４画像読み込み部
５２  第４メモリ
５３  第４カードスロット
５４  第４メモリカード
６１  サブプロセッサ
６２  メモリ
６３  表示ドライバ
６４  モニタ部
６４ａ  ヒンジ
６５  表示ドライバ
６６  ビューファインダ
６７  ＨＤＭＩ端子
７１  指示信号入力部
７２  フォーマット実行部
７３  メモリカード確認部
７４  ディレクトリ名確認部
７５  カードクラス確認部
７６  録画開始指示部
７７  アラート画面表示指示部
７８  画像読み込み指示部
８１  ファイル名一致判定部
８２  時間計測部
８３  ファイル名受信部
８４  画像読み込み停止指示部
８５  アイコン表示指示部
９０  全体画像
９１  第１の領域
９２  第２の領域
９３  第３の領域
９４  第４の領域
９５  カードアイコン表示部
１０１  ＨＤＭＩ端子
１０２  外部表示装置
【図４】
2013141073.tif 000003
【図５】
2013141073.tif 000004
【図６】
2013141073.tif 000005
【図７】
2013141073.tif 000006
【図８】
2013141073.tif 000007
【図９】
2013141073.tif 000008
【図１０】
2013141073.tif 000009
【図１１】
2013141073.tif 000010
【図１２】
2013141073.tif 000011
【図１３】
2013141073.tif 000012
【図１４】
2013141073.tif 000013
【図１５】
2013141073.tif 000014
【図１６】
2013141073.tif 000015
【図１７】
2013141073.tif 000016
【図１８】
2013141073.tif 000017
【図２０】
2013141073.tif 000018
【図２１】
2013141073.tif 000019
【図２２】
2013141073.tif 000020
【図２３】
2013141073.tif 000021
【図２４】
2013141073.tif 000022
【図２５】
2013141073.tif 000023
【図２６】
2013141073.tif 000024
【図２７】
2013141073.tif 000025
【図２８】
2013141073.tif 000026
【図２９】
2013141073.tif 000027
【図３０】
2013141073.tif 000028
【図３１】
2013141073.tif 000029
【図３２】
2013141073.tif 000030
【図３３】
2013141073.tif 000031
【図１】
2013141073.tif 000032
【図２】
2013141073.tif 000033
【図３】
2013141073.tif 000034
【図１９】
2013141073.tif 000035